(57)【要約】  この出願の複数の実施形態は、信号送信方法及び装置を提供し、その方法は、M個の空間的な送信層の各々における第1の時間領域OFDM信号をフィルタリングするステップであって、Mは、1以上の整数である、ステップと、前記M個の空間的な送信層の各々における前記フィルタリングされた第1の時間領域OFDM信号に空間プリコーディングを実行し、そして、前記M個の空間的な送信層の各々における前記フィルタリングされた第1の時間領域OFDM信号をNt個の送信アンテナポートの各々にマッピングするステップであって、Ntは、M以上の整数である、ステップと、前記Nt個の送信アンテナポートのすべてにマッピングされているとともに前記M個の空間的な送信層における前記第1の時間領域OFDM信号を重畳して送信するステップと、を含む。空間プリコーディング及びフィルタリングを実行する順序を調整することによって、フィルタリング動作の数は、空間的な送信層の数に正比例することが可能となり、それによって、信号送信の間のフィルタリングの複雑度を低減することが可能である。
2019528606.tif 000002
【特許請求の範囲】
【請求項１】
信号送信方法であって、
M個の空間的な送信層の各々における第1の時間領域OFDM信号をフィルタリングするステップであって、Mは、1以上の整数である、ステップと、
前記M個の空間的な送信層の各々における前記フィルタリングされた第1の時間領域OFDM信号に空間プリコーディングを実行し、そして、前記M個の空間的な送信層の各々における前記フィルタリングされた第1の時間領域OFDM信号をNt個の送信アンテナポートの各々にマッピングするステップであって、Ntは、M以上の整数である、ステップと、
前記Nt個の送信アンテナポートのすべてにマッピングされているとともに前記M個の空間的な送信層における前記第1の時間領域OFDM信号を重畳して送信するステップと、を含む、
方法。
【請求項２】
M個の空間的な送信層の各々における第1の時間領域OFDM信号をフィルタリングする前記ステップは、
前記M個の空間的な送信層の各々における前記第1の時間領域OFDM信号を第1のサンプリングレートでフィルタリングするステップを含み、
前記M個の空間的な送信層の各々における前記フィルタリングされた第1のOFDM信号に空間プリコーディングを実行する前記ステップの前に、当該方法は、
前記M個の空間的な送信層の各々における前記フィルタリングされた第1の時間領域OFDM信号に第2のサンプリングレートでアップサンプリングを実行するステップであって、前記第2のサンプリングレートは、前記第1のサンプリングレートよりも大きい、ステップと、
アップサンプリングの後に得られるとともに前記M個の空間的な送信層の各々における前記第1の時間領域OFDM信号に前記第2のサンプリングレートでディジタル周波数変換を実行し、それによって、アップサンプリングの後に得られるとともに前記M個の空間的な送信層の各々における前記第1の時間領域OFDM信号の中心周波数は、前記第1の時間領域OFDM信号が属しているシステム広帯域に対応する周波数位置に位置する、ステップと、をさらに含み、
前記M個の空間的な送信層の各々における前記フィルタリングされた第1のOFDM信号に空間プリコーディングを実行する前記ステップは、
ディジタル周波数変換の後に得られるとともに前記M個の空間的な送信層の各々における前記第1の時間領域OFDM信号に空間プリコーディングを実行するステップを含む、請求項1に記載の方法。
【請求項３】
当該方法は、
N個の空間的な送信層の各々における第2の時間領域OFDM信号を第3のサンプリングレートでフィルタリングするステップであって、Nは、1以上の整数である、ステップと、
前記N個の空間的な送信層の各々における前記フィルタリングされた第2の時間領域OFDM信号に第4のサンプリングレートでアップサンプリングを実行するステップであって、前記第4のサンプリングレートは、前記第3のサンプリングレートよりも大きい、ステップと、
アップサンプリングの後に得られるとともに前記N個の空間的な送信層の各々における前記第2の時間領域OFDM信号に前記第4のサンプリングレートでディジタル周波数変換を実行し、それによって、アップサンプリングの後に得られるとともに前記N個の空間的な送信層の各々における前記第2の時間領域OFDM信号の中心周波数は、前記第2の時間領域OFDM信号が属しているシステム広帯域に対応する周波数位置に位置する、ステップと、
ディジタル周波数変換の後に得られるとともに前記N個の空間的な送信層の各々における前記第2の時間領域OFDM信号に空間プリコーディングを実行し、そして、前記N個の空間的な送信層の各々における前記フィルタリングされた第2の時間領域OFDM信号を前記Nt個の送信アンテナポートにマッピングするステップと、をさらに含み、
前記Nt個の送信アンテナポートのすべてにマッピングされているとともに前記M個の空間的な送信層における前記第1の時間領域OFDM信号を重畳して送信する前記ステップは、
前記Nt個の送信アンテナポートのすべてにマッピングされているとともに前記M個の空間的な送信層における前記第1の時間領域OFDM信号及び前記N個の空間的な送信層における前記第2の時間領域OFDM信号を重畳して送信するステップを含む、請求項2に記載の方法。
【請求項４】
当該方法は、
前記Nt個の送信アンテナポートの各々に対応する第3の時間領域OFDM信号を第5のサンプリングレートでフィルタリングするステップをさらに含み、前記第5のサンプリングレートは、前記第1のサンプリングレート及び/又は前記第3のサンプリングレートよりも大きく、
前記Nt個の送信アンテナポートのすべてにマッピングされているとともに前記M個の空間的な送信層における前記第1の時間領域OFDM信号を重畳して送信する前記ステップは、
前記Nt個の送信アンテナポートのすべてにマッピングされているとともに前記M個の空間的な送信層における前記第1の時間領域OFDM信号、前記N個の空間的な送信層における前記第2の時間領域OFDM信号、及び前記フィルタリングされた第3の時間領域OFDM信号を重畳して送信するステップを含む、請求項3に記載の方法。
【請求項５】
前記M個の空間的な送信層の各々における前記フィルタリングされた第1の時間領域OFDM信号に空間プリコーディングを実行し、そして、前記M個の空間的な送信層の各々における前記フィルタリングされた第1の時間領域OFDM信号をNt個の送信アンテナポートにマッピングする前記ステップは、
第1のフィルタリング帯域幅において時間領域プリコーディングベクトルWiを使用することによって、前記M個の空間的な送信層のうちのi番目の空間的な送信層における前記フィルタリングされた第1の時間領域OFDM信号を前記Nt個の送信アンテナポートに個別にマッピングするステップを含み、i＝1,2,…,Mであり、iは、前記M個の空間的な送信層のインデックスを表す、請求項1又は2に記載の方法。
【請求項６】
ディジタル周波数変換の後に得られるとともに前記N個の空間的な送信層の各々における前記第2の時間領域OFDM信号に空間プリコーディングを実行し、そして、前記N個の空間的な送信層の各々における前記フィルタリングされた第2の時間領域OFDM信号を前記Nt個の送信アンテナポートにマッピングする前記ステップは、
第2のフィルタリング帯域幅において時間領域プリコーディングベクトルWjを使用することによって、前記N個の空間的な送信層のうちのj番目の空間的な送信層における前記フィルタリングされた第2の時間領域OFDM信号を前記Nt個の送信アンテナポートに個別にマッピングするステップを含み、j＝1,2,…,Nであり、jは、前記N個の空間的な送信層のインデックスを表す、請求項3に記載の方法。
【請求項７】
信号送信装置であって、
M個の空間的な送信層の各々における第1の時間領域OFDM信号をフィルタリングするように構成されるフィルタリングユニットであって、Mは、1以上の整数である、フィルタリングユニットと、
前記フィルタリングユニットによってフィルタリングされているとともに前記M個の空間的な送信層の各々における前記第1の時間領域OFDM信号に空間プリコーディングを実行し、そして、前記M個の空間的な送信層の各々における前記フィルタリングされた第1の時間領域OFDM信号をNt個の送信アンテナポートの各々にマッピングする、ように構成されるプリコーディングユニットであって、Ntは、M以上の整数である、プリコーディングユニットと、
前記Nt個の送信アンテナポートのすべてに前記プリコーディングユニットによってマッピングされているとともに前記M個の空間的な送信層における前記第1の時間領域OFDM信号を重畳して送信するように構成される送信ユニットと、を含む、
装置。
【請求項８】
前記フィルタリングユニットは、特に、
前記M個の空間的な送信層の各々における前記第1の時間領域OFDM信号を第1のサンプリングレートでフィルタリングするように構成され、
当該装置は、
前記M個の空間的な送信層の各々における前記フィルタリングされた第1の時間領域OFDM信号に第2のサンプリングレートでアップサンプリングを実行するように構成されるアップサンプリングユニットであって、前記第2のサンプリングレートは、前記第1のサンプリングレートよりも大きい、アップサンプリングユニットと、
アップサンプリングの後に得られるとともに前記M個の空間的な送信層の各々における前記第1の時間領域OFDM信号に前記第2のサンプリングレートでディジタル周波数変換を実行するように構成され、それによって、アップサンプリングの後に得られるとともに前記M個の空間的な送信層の各々における前記第1の時間領域OFDM信号の中心周波数は、前記第1の時間領域OFDM信号が属しているシステム広帯域に対応する周波数位置に位置する、ディジタル周波数変換ユニットと、をさらに含み、
前記プリコーディングユニットは、特に、
ディジタル周波数変換の後に得られるとともに前記M個の空間的な送信層の各々における前記第1の時間領域OFDM信号に空間プリコーディングを実行するように構成される、請求項7に記載の装置。
【請求項９】
前記フィルタリングユニットは、さらに、N個の空間的な送信層の各々における第2の時間領域OFDM信号を第3のサンプリングレートでフィルタリングするように構成され、Nは、1以上の整数であり、
前記アップサンプリングユニットは、さらに、前記N個の空間的な送信層の各々における前記フィルタリングされた第2の時間領域OFDM信号に第4のサンプリングレートでアップサンプリングを実行するように構成され、前記第4のサンプリングレートは、前記第3のサンプリングレートよりも大きく、
前記ディジタル周波数変換ユニットは、さらに、アップサンプリングの後に得られるとともに前記N個の空間的な送信層の各々における前記第2の時間領域OFDM信号に前記第4のサンプリングレートでディジタル周波数変換を実行するように構成され、それによって、アップサンプリングの後に得られるとともに前記N個の空間的な送信層の各々における前記第2の時間領域OFDM信号の中心周波数は、前記第2の時間領域OFDM信号が属しているシステム広帯域に対応する周波数位置に位置し、
前記プリコーディングユニットは、特に、ディジタル周波数変換の後に得られるとともに前記N個の空間的な送信層の各々における前記第2の時間領域OFDM信号に空間プリコーディングを実行し、そして、前記N個の空間的な送信層の各々における前記フィルタリングされた第2の時間領域OFDM信号を前記Nt個の送信アンテナポートにマッピングする、ように構成され、
前記送信ユニットは、特に、前記Nt個の送信アンテナポートのすべてにマッピングされているとともに前記M個の空間的な送信層における前記第1の時間領域OFDM信号及び前記N個の空間的な送信層における前記第2の時間領域OFDM信号を重畳して送信するように構成される、請求項8に記載の装置。
【請求項１０】
前記フィルタリングユニットは、さらに、前記Nt個の送信アンテナポートの各々に対応する第3の時間領域OFDM信号を第5のサンプリングレートでフィルタリングするように構成され、前記第5のサンプリングレートは、前記第1のサンプリングレート及び/又は前記第3のサンプリングレートよりも大きく、
前記送信ユニットは、特に、
前記Nt個の送信アンテナポートのすべてにマッピングされているとともに前記M個の空間的な送信層における前記第1の時間領域OFDM信号、前記N個の空間的な送信層における前記第2の時間領域OFDM信号、及び前記フィルタリングされた第3の時間領域OFDM信号を重畳して送信するように構成される、請求項9に記載の装置。
【請求項１１】
前記プリコーディングユニットは、特に、
第1のフィルタリング帯域幅において時間領域プリコーディングベクトルWiを使用することによって、前記M個の空間的な送信層のうちのi番目の空間的な送信層における前記フィルタリングされた第1の時間領域OFDM信号を前記Nt個の送信アンテナポートに個別にマッピングするように構成され、i＝1,2,…,Mであり、iは、前記M個の空間的な送信層のインデックスを表す、請求項7又は8に記載の装置。
【請求項１２】
前記プリコーディングユニットは、特に、
第2のフィルタリング帯域幅において時間領域プリコーディングベクトルWjを使用することによって、前記N個の空間的な送信層のうちのj番目の空間的な送信層における前記フィルタリングされた第2の時間領域OFDM信号を前記Nt個の送信アンテナポートに個別にマッピングするように構成され、j＝1,2,…,Nであり、jは、前記N個の空間的な送信層のインデックスを表す、請求項9に記載の装置。
【発明の詳細な説明】
【技術分野】
【０００１】
［関連出願への相互参照］
この出願は、2016年8月1日付で中国特許庁に出願された"信号送信方法及び装置"と題する中国特許出願番号第201610624580.0号に基づく優先権を主張し、その内容は、参照により全体が本明細書に取り込まれる。
【０００２】
［技術分野］
この出願の複数の実施形態は、通信分野に関し、具体的には、信号送信方法及び装置に関する。
【背景技術】
【０００３】
フィルタリング直交周波数分割多重化(filtered-orthogonal  frequency  division  multiplexing,  F-OFDM)は、サブバンドフィルタリングベースのOFDMである。F-OFDM波形技術においては、スペクトラムは、複数のサブバンドに分割され、そして、複数の異なるサブバンドのパラメータ(numerology)は、同じであってもよく、或いは、異なっていてもよい。サブバンドのパラメータは、サブキャリア帯域幅、送信時間間隔(Transmission  Time  Interval,  TTI)長さ、シンボル長、シンボル数、及びサイクリックプレフィックス(cyclic  prefix,  CP)長さ等のパラメータのうちの少なくとも1つを含む。サブバンドのそれらのパラメータは、あらかじめ構成されていてもよく、或いは、サービスの負荷に基づいて柔軟に適応されてもよい。サービスの複数の異なるタイプについて複数の異なるサブバンドを使用してもよい。例えば、従来の音声/ビデオ、モノのインターネット(internet  of  things,  IOT)、車両のリアルタイムインターネット、及びマルチメディアブロードキャストマルチキャストサービス(multimedia  broadcast  multicast  service,  MBMS)は、それぞれ、複数の異なるサブバンドの中に分散されている。その後、各々のサブバンドは、フィルタリングされ、例えば、高次ディジタル成形フィルタが、フィルタリングのために使用される。そのフィルタリングされたサブバンドは、良好な帯域外パフォーマンスを有して、各々のサブバンドの分離を実装する。したがって、従来のOFDM波形が互換性を有する場合には、実際のサービスシナリオに基づいて、複数のサブバンドのために、異なるパラメータを構成してもよい。
【０００４】
より高次のフィルタは、より良好な帯域外特徴を示すが、一方で、より高い実装の複雑度を示す。したがって、低い複雑度のフィルタ設計は、F-OFDMの適用における核心的な問題となっている。一方で、多入力多出力(multiple-input  multiple-output,  MIMO)技術は、無線通信システムにおける最も基本的な技術のうちの1つであり、そのMIMO技術と組み合わせて、F-OFDMを含むいずれかの新たな技術を使用する必要がある。MIMOシステムにF-OFDMを適用する場合には、従来の技術によって、各々のアンテナポートにおける時間領域信号をフィルタリングする必要がある。したがって、ある1つのサブバンドについて、送信機のフィルタリング動作の合計数は、1つのアンテナポートにおけるフィルタリング動作の数を送信アンテナの合計数で乗算することによって得られる積に等しく、フィルタリングの複雑度は、比較的高い。
【発明の概要】
【０００５】
この出願の複数の実施形態は、信号送信方法及び装置を提供して、フィルタリングの複雑度を低減する。
【０００６】
第1の態様によれば、信号送信方法が提供され、当該方法は、M個の空間的な送信層の各々における第1の時間領域OFDM信号をフィルタリングするステップであって、Mは、1以上の整数である、ステップと、前記M個の空間的な送信層の各々における前記フィルタリングされた第1の時間領域OFDM信号に空間プリコーディングを実行し、そして、前記M個の空間的な送信層の各々における前記フィルタリングされた第1の時間領域OFDM信号をNt個の送信アンテナポートの各々にマッピングするステップであって、Ntは、M以上の整数である、ステップと、前記Nt個の送信アンテナポートのすべてにマッピングされているとともに前記M個の空間的な送信層における前記第1の時間領域OFDM信号を重畳して送信するステップと、を含む。
【０００７】
この出願のこの実施形態における信号送信方法によれば、従来技術における空間プリコーディング及びフィルタリング動作を実行する順序を調整する、すなわち、M個の空間的な送信層の各々における(例えば、第1の時間領域OFDM信号等の)時間領域OFDM信号にフィルタリング動作を最初に実行し、次に、空間プリコーディングを実行し、そして、送信のために、その空間的な送信層におけるそのフィルタリングされた時間領域OFDM信号を各々の送信アンテナポートにマッピングする。この方法においては、フィルタリング動作の数は、送信アンテナポートの数ではなく空間的な送信層の数に正比例する。空間的な送信層の数は、MIMOシステムにおける送信アンテナポートの数以下であるので、この出願のこの実施形態による信号送信方法によれば、信号送信の間のフィルタリングの複雑度を低減することが可能である。
【０００８】
1つの可能な実装において、M個の空間的な送信層の各々における第1の時間領域OFDM信号をフィルタリングする前記ステップは、前記M個の空間的な送信層の各々における前記第1の時間領域OFDM信号を第1のサンプリングレートでフィルタリングするステップを含み、前記M個の空間的な送信層の各々における前記フィルタリングされた第1のOFDM信号に空間プリコーディングを実行する前記ステップの前に、当該方法は、前記M個の空間的な送信層の各々における前記フィルタリングされた第1の時間領域OFDM信号に第2のサンプリングレートでアップサンプリングを実行するステップであって、前記第2のサンプリングレートは、前記第1のサンプリングレートよりも大きい、ステップと、アップサンプリングの後に得られるとともに前記M個の空間的な送信層の各々における前記第1の時間領域OFDM信号に前記第2のサンプリングレートでディジタル周波数変換を実行し、それによって、アップサンプリングの後に得られるとともに前記M個の空間的な送信層の各々における前記第1の時間領域OFDM信号の中心周波数は、前記第1の時間領域OFDM信号が属しているシステム広帯域に対応する周波数位置に位置する、ステップと、をさらに含み、前記M個の空間的な送信層の各々における前記フィルタリングされた第1のOFDM信号に空間プリコーディングを実行する前記ステップは、ディジタル周波数変換の後に得られるとともに前記M個の空間的な送信層の各々における前記第1の時間領域OFDM信号に空間プリコーディングを実行するステップを含む。
【０００９】
ダウンリンク送信については、セグメントフィルタリング方法を使用することによって信号送信を実行してもよい。第1の時間領域OFDM信号は、広帯域OFDM信号のサイドバンド信号であってもよい。そのサイドバンド信号は、端部に位置しており、高次のディジタル成形フィルタリングによってフィルタリングする必要があり、その結果、極めて狭い遷移帯域を取得し、それにより、良好な帯域外パフォーマンスを実装する。したがって、高いフィルタリング複雑度の問題が依然として存在する。これに対して、この出願のこの実施形態においては、M個の空間的な送信層の各々における(例えば、第1の時間領域OFDM信号等の)時間領域OFDM信号にフィルタリング動作を最初に実行し、次に、空間プリコーディングを実行し、そして、送信のために、その空間的な送信層におけるそのフィルタリングされた時間領域OFDM信号を各々の送信アンテナポートにマッピングする。この方法においては、フィルタリング動作の数は、送信アンテナポートの数ではなく空間的な送信層の数に正比例する。空間的な送信層の数は、MIMOシステムにおける送信アンテナポートの数以下であるので、この出願のこの実施形態による信号送信方法によれば、信号送信の間のフィルタリングの複雑度を低減することが可能である。
【００１０】
1つの可能な実装において、当該方法は、N個の空間的な送信層の各々における第2の時間領域OFDM信号を第3のサンプリングレートでフィルタリングするステップであって、Nは、1以上の整数である、ステップと、前記N個の空間的な送信層の各々における前記フィルタリングされた第2の時間領域OFDM信号に第4のサンプリングレートでアップサンプリングを実行するステップであって、前記第4のサンプリングレートは、前記第3のサンプリングレートよりも大きい、ステップと、アップサンプリングの後に得られるとともに前記N個の空間的な送信層の各々における前記第2の時間領域OFDM信号に前記第4のサンプリングレートでディジタル周波数変換を実行し、それによって、アップサンプリングの後に得られるとともに前記N個の空間的な送信層の各々における前記第2の時間領域OFDM信号の中心周波数は、前記第2の時間領域OFDM信号が属しているシステム広帯域に対応する周波数位置に位置する、ステップと、ディジタル周波数変換の後に得られるとともに前記N個の空間的な送信層の各々における前記第2の時間領域OFDM信号に空間プリコーディングを実行し、そして、前記N個の空間的な送信層の各々における前記フィルタリングされた第2の時間領域OFDM信号を前記Nt個の送信アンテナポートにマッピングするステップと、をさらに含み、前記Nt個の送信アンテナポートのすべてにマッピングされているとともに前記M個の空間的な送信層における前記第1の時間領域OFDM信号を重畳して送信する前記ステップは、前記Nt個の送信アンテナポートのすべてにマッピングされているとともに前記M個の空間的な送信層における前記第1の時間領域OFDM信号及び前記N個の空間的な送信層における前記第2の時間領域OFDM信号を重畳して送信するステップを含む。
【００１１】
1つの可能な実装において、当該方法は、前記Nt個の送信アンテナポートの各々に対応する第3の時間領域OFDM信号を第5のサンプリングレートでフィルタリングするステップをさらに含み、前記第5のサンプリングレートは、前記第1のサンプリングレート及び/又は前記第3のサンプリングレートよりも大きく、前記Nt個の送信アンテナポートのすべてにマッピングされているとともに前記M個の空間的な送信層における前記第1の時間領域OFDM信号を重畳して送信する前記ステップは、前記Nt個の送信アンテナポートのすべてにマッピングされているとともに前記M個の空間的な送信層における前記第1の時間領域OFDM信号、前記N個の空間的な送信層における前記第2の時間領域OFDM信号、及び前記フィルタリングされた第3の時間領域OFDM信号を重畳して送信するステップを含む。
【００１２】
1つの可能な実装において、前記M個の空間的な送信層の各々における前記フィルタリングされた第1の時間領域OFDM信号に空間プリコーディングを実行し、そして、前記M個の空間的な送信層の各々における前記フィルタリングされた第1の時間領域OFDM信号をNt個の送信アンテナポートにマッピングする前記ステップは、第1のフィルタリング帯域幅において時間領域プリコーディングベクトルWiを使用することによって、前記M個の空間的な送信層のうちのi番目の空間的な送信層における前記フィルタリングされた第1の時間領域OFDM信号を前記Nt個の送信アンテナポートに個別にマッピングするステップを含み、i＝1,2,…,Mであり、iは、前記M個の空間的な送信層のインデックスを表す。
【００１３】
1つの可能な実装において、ディジタル周波数変換の後に得られるとともに前記N個の空間的な送信層の各々における前記第2の時間領域OFDM信号に空間プリコーディングを実行し、そして、前記N個の空間的な送信層の各々における前記フィルタリングされた第2の時間領域OFDM信号を前記Nt個の送信アンテナポートにマッピングする前記ステップは、第2のフィルタリング帯域幅において時間領域プリコーディングベクトルWjを使用することによって、前記N個の空間的な送信層のうちのj番目の空間的な送信層における前記フィルタリングされた第2の時間領域OFDM信号を前記Nt個の送信アンテナポートに個別にマッピングするステップを含み、j＝1,2,…,Nであり、jは、前記N個の空間的な送信層のインデックスを表す。
【００１４】
1つの可能な実装において、前記M個の空間的な送信層の各々における前記第1の時間領域OFDM信号をフィルタリングする場合に、当該方法は、前記M個の空間的な送信層の各々における前記第1の時間領域OFDM信号に時間領域フィルタリング又は周波数領域フィルタリングを実行するステップを含む。
【００１５】
第2の態様によれば、第1の態様又は第1の態様の複数の可能な実装のうちのいずれか1つにしたがった方法を実行するように構成されるユニットを含み、第1の態様又は第1の態様の複数の可能な実装のうちのいずれか1つにしたがった方法を実行するように構成される信号送信装置が提供される。
【００１６】
第3の態様によれば、プロセッサとトランシーバーとメモリとを含む信号送信装置が提供される。そのメモリは、命令を格納するように構成され、そのプロセッサは、そのメモリに格納されている命令を実行して、信号を受信し及び/又は送信するようにそのトランシーバーを制御するように構成される。そのプロセッサが、そのメモリに格納されている命令を実行すると、そのプロセッサは、第1の態様又は第1の態様の複数の可能な実装のうちのいずれか1つにしたがった方法を実行するように構成される。
【００１７】
第4の態様によれば、コンピュータプログラムを格納するように構成されるコンピュータ読み取り可能な媒体が提供され、そのコンピュータプログラムは、第1の態様又は第1の態様の複数の可能な実装のうちのいずれか1つにしたがった方法を実行するのに使用される命令を含む。
【図面の簡単な説明】
【００１８】
【図１】この出願のある1つの実施形態に適用可能な信号送信方法の適用シナリオの概略的な図である。
【図２】この出願のある1つの実施形態にしたがった信号送信方法の概略的なフローチャートである。
【図３】この出願のある1つの実施形態にしたがった信号送信方法の概略的なブロック図である。
【図４】セグメントフィルタリングの間に周波数領域信号を分割する概略的な図である。
【図５】セグメントフィルタリングに基づく信号送信方法の概略的なブロック図である。
【図６】セグメントフィルタリングに基づく信号受信方法の概略的なブロック図である。
【図７Ａ】この出願のある1つの実施形態にしたがった信号送信方法の概略的なブロック図である。
【図７Ｂ】この出願のある1つの実施形態にしたがった信号送信方法の概略的なブロック図である。
【図８Ａ】この出願のある1つの実施形態にしたがった信号送信方法の概略的なブロック図である。
【図８Ｂ】この出願のある1つの実施形態にしたがった信号送信方法の概略的なブロック図である。
【図９】この出願のある1つの実施形態にしたがった信号送信装置の概略的なブロック図である。
【図１０】この出願のある1つの実施形態にしたがった信号送信装置の概略的な構成図である。
【発明を実施するための形態】
【００１９】
以下の記載は、この出願の複数の実施形態における複数の添付の図面を参照して、この出願のそれらの複数の実施形態による複数の技術的解決方法を詳細に説明する。
【００２０】
例えば、汎欧州ディジタル移動体通信システム(Global  System  for  Mobile  Communications,  GSM)、符号分割多元接続(code  division  multiple  access,  CDMA)システム、広帯域符号分割多元接続(wideband  code  division  multiple  access  wireless,  WCDMA)システム、汎用パケット無線サービス(general  packet  radio  service,  GPRS)システム、LTEシステム、ユニバーサル移動体通信システム(universal  mobile  telecommunications  system, UMTS)、及び将来的な5G通信システム等の無線セルラーネットワークの中のさまざまな通信システムに、この出願の複数の実施形態による複数の技術的解決方法を適用してもよい。このことは、この出願の複数の実施形態の中では制限されない。
【００２１】
図1は、この出願のある1つの実施形態に適用可能な信号送信方法に関する通信システムを示している。図1に示されているように、この出願のこの実施形態に適用される通信システムは、ネットワークデバイス101、端末デバイス102、及び端末デバイス103を含む。送信機がネットワークデバイス101の一部となっている場合には、受信機は、端末デバイス102の一部となっているか又は端末デバイス103の一部となっている。代替的に、送信機が端末デバイス102の一部或いは端末デバイス103の一部となっている場合には、受信機は、ネットワークデバイス101の一部となっている。
【００２２】
(例えば、端末デバイス102又は端末デバイス103等の)端末デバイスは、無線アクセスネットワーク(radio  access  network,  RAN)を使用することによって、1つ又は複数のコアネットワークとの間で通信してもよい。その端末デバイスは、ユーザ機器(user  equipment,  UE)、アクセス端末、加入者ユニット、加入者局、移動局、移動コンソール、リモート局、リモート端末、移動デバイス、ユーザ端末、端末、無線通信デバイス、ユーザエージェント、又はユーザ装置であってもよい。アクセス端末は、セルラーフォン、コードレスフォン、セッション開始プロトコル(session  initiation  protocol,  SIP)フォン、無線ローカルループ(wireless  local  loop,  WLL)局、パーソナルディジタルアシスタント(personal  digital  assistant,  PDA)、無線通信機能を有するハンドヘルドデバイス、コンピューティングデバイス、無線モデムに接続されている他の処理デバイス、車載型デバイス、ウェアラブルデバイス、又は将来的な5Gネットワークにおける端末デバイス等であってもよい。
【００２３】
(例えば、ネットワークデバイス101等の)ネットワークデバイスは、端末デバイスとの間で通信するように構成されるデバイスであってもよい。例えば、ネットワークデバイスは、GSMシステム又はCDMAシステムにおける基地局装置(base  transceiver  station,  BTS)であってもよく、WCDMAシステムにおけるNodeB(nodeB,  NB)であってもよく、又は、LTEシステムにおける進化型NodeB(evolved  NodeB,  eNB或いはeNodeB)であってもよく、或いは、ネットワークデバイスは、中継局、アクセスポイント、車載型デバイス、ウェアラブルデバイス、将来的な5Gネットワークにおけるネットワーク側デバイス、又は、将来的な進化型PLMNネットワークにおけるネットワークデバイスであってもよい。
【００２４】
この出願のこの実施形態による信号送信方法をMIMOシステムに適用してもよい。そのMIMOシステムにおいて、F-OFDM波形技術を使用してもよい。そのF-OFDM波形技術においては、システム帯域幅は、複数のサブバンドに分割される。次に、各々のサブバンドをフィルタリングする。フィルタリングのために、高次のディジタル成形フィルタを使用してもよい。各々のサブバンドをフィルタリングする際に、ある1つの方法によれば、各々の送信アンテナポートにおけるベースバンド信号に線形フィルタリング動作を実行する。しかしながら、この方式においては、フィルタリング動作の複雑度は、アンテナポートの数に正比例する。システム帯域幅の中にサブバンドが1つのみ存在する、言い換えると、k＝1である場合には、送信機が要求するフィルタの数は、Nt(Ntは、送信アンテナポートの数である)となり、受信機が要求するフィルタの数は、Nr(Nrは、受信アンテナポートの数である)となる。全体的なシステム帯域幅の中にk個のサブバンドが存在する場合には、フィルタの合計数は、k×Ntとなる。したがって、MIMOシステムの中でF-OFDMを使用する場合には、少なくとも1つのフィルタが各々のアンテナにおいて使用され、その結果、全体的なシステムの複雑度は大幅に増加する。特に、端末のアップリンク送信の場合には、高複雑度のMIMOアプリケーションは、端末のコスト及びエネルギーの節約に関して重大な課題をもたらす。
【００２５】
比較的高いフィルタリングの複雑度の問題を解決するために、この出願の1つの実施形態は、信号送信方法を提供する。
【００２６】
図2は、この出願の1つの実施形態にしたがった信号送信方法を示す。図2に示されている方法は、送信機によって実行されてもよい。
【００２７】
210.  M個の空間的な送信層の各々における第1の時間領域OFDM信号をフィルタリングし、Mは、1以上の整数である。
【００２８】
本明細書においては、第1の時間領域OFDM信号は、シリアル−パラレル変換の動作の後に生成される信号であってもよく、スクランブリング、変調、層マッピング、逆高速フーリェ変換(inverse  fast  fourier  transformation,  IFFT)、及びサイクリックプレフィックス(cyclic  prefix,  CP)の追加は、元の送信コードワードに対して順に実行される。具体的には、シリアル−パラレル変換、スクランブリング、変調、層マッピング、IFFT、及びCPの追加の動作については、従来技術を参照するべきである。簡潔さのために、本明細書においては、詳細は説明されない。
【００２９】
本明細書においては、高次のディジタル成形フィルタを使用することによって、第1の時間領域OFDM信号をフィルタリングしてもよい。
【００３０】
フィルタリング次数の値に応じて、ディジタル成形フィルタを高次のディジタル成形フィルタ及び低次のディジタル成形フィルタに分類することが可能である。高次のディジタル成形フィルタのフィルタリング次数は、相対的に大きくなるように設定されて、その高次のディジタル成形フィルタを通過する信号が、極めて狭い遷移帯域を有するということを保証し、それにより、良好な帯域外パフォーマンスを実装する。低次のディジタル成形フィルタのフィルタリング次数は、相対的に小さくなるように設定される。具体的には、ディジタル成形フィルタのフィルタリング次数が高くなるほど、フィルタリングされた信号の遷移帯域は狭くなる。
【００３１】
選択的に、この出願のこの実施形態においては、M個の空間的な送信層の各々における第1の時間領域OFDM信号をフィルタリングする際に、それらのM個の空間的な送信層の各々における第1の時間領域OFDM信号に時間領域フィルタリング又は周波数領域フィルタリングを実行することが可能である。言い換えると、この出願のこの実施形態におけるフィルタリング動作は、時間領域において実行されてもよく、或いは、周波数領域において実行されてもよい。このことは、この出願のこの実施形態においては制限されない。高次のディジタル成形フィルタを使用することによって実装される高次のディジタル成形フィルタリングは、時間領域フィルタリングである。
【００３２】
220.  M個の空間的な送信層の各々におけるフィルタリングされた第1の時間領域OFDM信号に空間プリコーディングを実行し、そして、M個の空間的な送信層の各々におけるフィルタリングされた第1の時間領域OFDM信号をNt個の送信アンテナポートの各々にマッピングする。
【００３３】
送信アンテナポートの数は、空間的な送信層の数以上となる。したがって、本明細書におけるNtは、M以上の整数である。
【００３４】
説明を容易にするために、以下の記載においては、フィルタリングされた第1の時間領域OFDM信号は、第1のF-OFDM信号と称されてもよい。
【００３５】
具体的には、第1の時間領域OFDM信号にフィルタリング処理を実行した後に、送信機は、各々の空間的な送信層における取得した第1のF-OFDM信号をその空間的な送信層に対応する空間プリコーディングベクトルWiで乗算する。その空間的な送信層における第1のF-OFDM信号は、各々のアンテナ送信ポートにマッピングされて、各々の送信アンテナポートにおけるデータを取得する。言い換えると、その送信アンテナポートにおけるデータは、各々の空間的な送信層における第1のF-OFDM信号をその送信アンテナポートにマッピングすることによって得られるデータを含んでいる。
【数１】
2019528606.tif 000003
であり、iは、M個の空間的な送信層のインデックスを表す。
【００３６】
この出願のこの実施形態においては、時間領域において空間プリコーディング動作を実行し、時間領域空間プリコーディングベクトルを使用することによって、空間的な送信層から送信アンテナポートへと第1のF-OFDM信号をマッピングするということに留意すべきである。一方で、従来のMIMOシステムにおいては、周波数領域において空間プリコーディング動作を実行し、周波数領域空間プリコーディングベクトルを使用することによって、空間的な送信層から送信アンテナポートへと第1のOFDM周波数領域データをマッピングし、そして、次に、空間プリコーディングの後に得られる時間領域データにフィルタリング動作を実行する。本明細書における空間プリコーディングベクトル
【数２】
2019528606.tif 000004
は、従来のMIMOにおける高いサンプリングレートでの周波数領域空間プリコーディングベクトルの時間領域表現形式である。これに対して、各々のアンテナポートにおいて最終的に生成される時間領域送信データについては、時間領域において実行される空間プリコーディング動作は、周波数領域において実行される空間プリコーディング動作と同等である。
【００３７】
230.  Nt個の送信アンテナポートのすべてにマッピングされているとともにM個の空間的な送信層における第1の時間領域OFDM信号を重畳して送信する。
【００３８】
具体的には、第1のF-OFDM信号に空間プリコーディング処理を実行した後に、すべての空間的な送信層における第1のF-OFDM信号を送信アンテナポートにマッピングすることによって得られるデータを重畳して送信する。
【００３９】
送信アンテナポートにおけるデータは、その送信アンテナポートに対応しているとともにM個の空間的な送信層における第1のF-OFDM信号よりも多くの信号を含んでもよいということを理解すべきである。言い換えると、その送信アンテナポートに対応しているとともにM個の空間的な送信層における第1のF-OFDM信号は、その送信アンテナポートにおけるデータの一部にすぎない場合があり、その送信アンテナポートにおけるデータは、他のデータをさらに含んでもよい。例えば、第1のF-OFDM信号がMIMOシステムでのあるサブバンドにおける信号であるにすぎない場合に、その送信アンテナポートにおけるデータは、そのMIMOシステムでの他のサブバンドにおけるデータをさらに含んでもよい。
【００４０】
この出願のこの実施形態における信号送信方法によれば、従来技術における空間プリコーディング及びフィルタリング動作を実行する順序を調整する、すなわち、M個の空間的な送信層の各々における(例えば、第1の時間領域OFDM信号等の)時間領域OFDM信号にフィルタリング動作を最初に実行し、次に、空間プリコーディングを実行し、そして、送信のために、その空間的な送信層におけるそのフィルタリングされた時間領域OFDM信号を各々の送信アンテナポートにマッピングする。この方法においては、フィルタリング動作の数は、送信アンテナポートの数ではなく空間的な送信層の数に正比例する。空間的な送信層の数は、MIMOシステムにおける送信アンテナポートの数以下であるので、この出願のこの実施形態による信号送信方法によれば、信号送信の間のフィルタリングの複雑度を低減することが可能である。
【００４１】
この出願のこの実施形態における時間領域OFDM信号送信方法を、アップリンクの端末側にあるマルチアンテナ送信機に適用してもよい。例えば、この出願のこの実施形態を、図1に示されている端末デバイス102又は端末デバイス103がネットワークデバイス101にデータを送信するシナリオに適用してもよい。
【００４２】
以下の記載は、図3を参照して、この出願のこの実施形態にしたがった信号送信方法を詳細に説明する。図3に示されている方法は、図1に示されている端末デバイス102の中の送信機によって実行されてもよい。
【００４３】
端末デバイス102がネットワークデバイス101にデータを送信する際に、その端末デバイス102の中の送信機は、最初に、元の送信コードワードに、シリアル−パラレル変換、スクランブリング、変調、及び層マッピングの動作を順次実行して、M個の空間的な送信層の各々における第1の周波数領域OFDM信号を生成してもよいということを理解すべきである。
【００４４】
M個の空間的な送信層の各々における第1の周波数領域OFDM信号を生成した後に、図3に示されているように、端末デバイス102の中の送信機は、M個の空間的な送信層の各々における第1の周波数領域OFDM信号に基づいて、第1の時間領域OFDM信号を生成してもよい。本明細書においては、端末デバイス102の中の送信機は、第1の周波数領域OFDM信号に、IFFT及びサイクリックプレフィックスCP追加の動作を順次実行して、第1の時間領域OFDM信号を生成してもよい。端末デバイス102の中の送信機は、M個の空間的な送信層の各々における第1の時間領域OFDM信号に、(例えば、高次のディジタル成形フィルタリング等の)フィルタリングを実行する。次に、端末デバイス102の中の送信機は、空間プリコーディングベクトルWiを使用することによって、フィルタリングされたF-OFDM信号に空間プリコーディングを実行し、そして、M個の空間的な送信層の各々におけるF-OFDM信号を送信アンテナポートにマッピングする。最後に、すべての送信アンテナポートにおけるデータは、重畳され、そして、対応する無線リモートユニット(radio  remote  unit,  RRU):RRU_1,  RRU_2,  …,  RRU_Ntに出力される。無線リモートユニットは、対応する送信アンテナを使用することによって、各々の送信アンテナポートにおけるデータを送信する。
【００４５】
送信機が送信したデータを受信した後に、(例えば、ネットワークデバイス101等の)受信端にある受信機は、従来技術を使用することによって処理を実行してもよい。例えば、その受信機は、各々の受信アンテナにおいて受信したデータに、フィルタリング、CP除去、離散フーリェ変換FFT(fast  fourier  transformation,  FFT)、及びMIMO空間検出の動作を順次実行して、送信された第1の周波数領域OFDM信号を復元してもよい。受信したデータに受信機が実行する処理動作については、従来技術を参照するべきである。簡潔さのために、本明細書においては、詳細は説明されない。
【００４６】
したがって、最初に、第1の時間領域OFDM信号をフィルタリングし、そして、次に、空間プリコーディングを実行する。この手法においては、送信機が必要とする高次のディジタル成形フィルタの数は、Mとなる。従来技術において必要となるNt(Nt≧M)個の高次のディジタル成形フィルタと比較して、この出願のこの実施形態における信号送信方法によれば、使用することが必要となる高次のディジタル成形フィルタの数を低減することが可能である。
【００４７】
選択的に、ステップ210において、M個の空間的な送信層の各々における第1の時間領域OFDM信号をフィルタリングする際に、M個の空間的な送信層の各々における第1の時間領域OFDM信号を第1のサンプリングレートでフィルタリングしてもよい。ステップ220において、M個の空間的な送信層の各々におけるフィルタリングされた第1のOFDM信号に空間プリコーディングを実行する前に、当該方法は、M個の空間的な送信層の各々におけるフィルタリングされた第1の時間領域OFDM信号に第2のサンプリングレートでアップサンプリングを実行するステップであって、第2のサンプリングレートは、第1のサンプリングレートよりも大きい、ステップと、アップサンプリングの後に得られるとともにM個の空間的な送信層の各々における第1の時間領域OFDM信号に第2のサンプリングレートでディジタル周波数変換を実行し、それによって、アップサンプリングの後に得られるとともにM個の空間的な送信層の各々における第1の時間領域OFDM信号の中心周波数は、第1の時間領域OFDM信号が属しているシステム広帯域に対応する周波数位置に位置する、ステップと、をさらに含んでもよい。ステップ230において、M個の空間的な送信層の各々におけるフィルタリングされた第1のOFDM信号に空間プリコーディングを実行するステップは、ディジタル周波数変換の後に得られるとともにM個の空間的な送信層の各々における第1の時間領域OFDM信号に空間プリコーディングを実行するステップを含む。
【００４８】
具体的には、通信システムにおいては、ダウンリンクにおけるOFDM信号は、通常は、広帯域OFDM信号である。広帯域OFDM信号の送信プロセスにおいて、フィルタリングの複雑度を低減するために、セグメントフィルタリング方法を使用してもよい。図4に示されているように、周波数領域において、左サイドバンド信号、中間サブバンド信号、及び右サイドバンド信号を含む3つのサブバンド信号へと、1つのOFDM広帯域信号を分割する。左サイドバンド信号及び右サイドバンド信号は、端部に位置しており、高次のディジタル成形フィルタリングによってフィルタリングする必要があり、結果として、極めて狭い遷移帯域を取得し、それにより、良好な帯域外パフォーマンスを実装するということを図4から理解することが可能である。一方で、サイドバンドの帯域幅は比較的小さく、サンプリングレートは低いので、ディジタル成形フィルタリングの動作サンプリングレートを十分に低減することが可能であり、フィルタリングの実装は比較的単純となる。加えて、中間サブバンドについては、中間サブバンドの帯域幅は比較的広く、サンプリングレートは比較的高いが、中間サブバンドは中央位置に位置しているので、中間サブバンドの遷移帯域は、(例えば、左サイドバンド及び右サイドバンドをその遷移帯域の一部と考えることが可能であるといったように)極めて広い場合がある。したがって、極めて低い次数の成形フィルタリングによって、フィルタリングを実装することが可能であり、フィルタリングの実装は比較的単純となる。
【００４９】
図5は、セグメントフィルタリングに基づいて、OFDM信号を送信する概略的なブロック図である。
【００５０】
図5に示されているように、20[MHz]のOFDM帯域信号は、900[KHz]の左サイドバンド信号、18.2[MHz]の中間信号、及び900[KHz]の右サイドバンド信号に分割される。1.92[Mbps]のサンプリングレートで、900[KHz]の左サイドバンド信号に128ポイントIFFT変換を実行して、時間領域信号を生成する。その時間領域信号にCPを追加して、信号A1を生成する。その信号A1に、高次の成形フィルタリングを実行して、信号A2を生成する。30.72[Mbps]のサンプリングレートで、その信号A2にアップサンプリングを実行して、信号A3を生成する。その信号A3にディジタルアップコンバージョン処理を実行して、信号A4を取得する。30.72[Mbps]のサンプリングレートで、18.2[MHz]の中間信号に2048ポイントIFFT変換を実行して、時間領域信号を生成する。その時間領域信号にサイクリックプレフィックスを追加して、信号B1を生成する。その信号B1に低次の成形フィルタリングを実行して、信号B2を生成する。1.92[Mbps]のサンプリングレートで、900[KHz]の右サイドバンド信号に128ポイントIFFT変換を実行して、時間領域信号を生成する。その時間領域信号にサイクリックプレフィックスを追加して、信号C1を生成する。その信号C1に高次の成形フィルタリングを実行して、信号C2を生成する。30.72[Mbps]のサンプリングレートで、その信号C2にアップサンプリングを実行して、信号C3を生成する。その信号C3にディジタルアップコンバージョン処理を実行して、信号C4を取得する。信号A4、信号B2、及び信号C4を重畳して、信号Dを形成し、重畳の後に得られるその信号Dを、OFDM信号のF-OFDM信号として使用する。
【００５１】
対応して、信号送信の逆処理プロセスにおいては、帯域幅が20[MHz]であるフィルタリングされたF-OFDM信号を受信した場合には、帯域幅が20[MHz]であるその受信したF-OFDM信号にディジタル周波数変換処理を実行する図6に示されているプロセスを実行して、左サイドバンド信号A5を取得する。1.92[Mbps]のサンプリングレートで、その信号A5にダウンサンプリングを実行して、信号A6を生成する。上記の送信プロセスにおいて、左サイドバンド信号をフィルタリングする際に使用する高次のディジタル成形フィルタリングによって、その信号A6をフィルタリングして、信号A7を生成する。その信号A7にCP除去及び128ポイントFFT変換を実行して、900[KHz]の左サイドバンド信号を復元する。上記の送信プロセスにおいて、18.2[MHz]の中間信号をフィルタリングする際に使用する低次の成形フィルタリングによって、帯域幅が20[MHz]であるその受信したF-OFDM信号を直接的にフィルタリングして、信号B3を生成する。その信号B3に、サイクリックプレフィックス除去及び2048ポイントFFT変換を実行して、18.2[MHz]の中間信号を復元する。帯域幅が20[MHz]であるその受信したF-OFDM信号に、ディジタル周波数変換処理を実行して、右サイドバンド信号C5を取得する。1.92[Mbps]のサンプリングレートで、その信号C5にダウンサンプリングを実行して、信号C6を生成する。上記の送信プロセスにおいて右サイドバンド信号をフィルタリングする際に使用する高次の成形フィルタリングによって、その信号C6をフィルタリングして、信号C7を生成する。その信号C7にサイクリックプレフィックス除去及び128ポイントFFT変換を実行して、900[KHz]の左サイドバンド信号を復元する。
【００５２】
図4、図5、及び図6を参照すると、セグメントフィルタリングベースの方法をMIMOシステムに適用する場合に、広帯域信号の中間サブバンドについては、低次のディジタル成形フィルタが、その中間サブバンドにおいて使用され、したがって、フィルタリング動作の複雑度は、高くはないということを理解することが可能である。一方で、高次のディジタル成形フィルタが、広帯域信号の左サイドバンド及び右サイドバンドにおいて使用される。送信アンテナの数が比較的大きい場合に、各々の送信アンテナにおける左サイドバンド及び右サイドバンドでの処理は、中間サブバンドでの処理よりも多くの処理リソースを消費する。したがって、上記のセグメントフィルタリング方法をMIMOシステムに適用する場合には、左サイドバンド及び右サイドバンドにおけるフィルタリング動作は、複雑さをもたらす。セグメントフィルタリング動作は、各々の送信アンテナポートにおいて実行されるため、そのことは、フィルタリング動作の数が、依然として、送信機の送信アンテナポートの数に正比例し、フィルタリングの複雑度が比較的高いということを意味する。
【００５３】
この出願のこの実施形態においては、具体的には、第1の時間領域OFDM信号は、広帯域OFDM信号のサブバンド信号であってもよい。さらに、第1の時間領域OFDM信号は、広帯域OFDM信号のサイドバンド信号であってもよく、例えば、図5に示されている信号A1又は信号C1であってもよい。この場合には、M個の空間的な送信層の各々における第1の時間領域OFDM信号をフィルタリングする際には、M個の空間的な送信層の各々における第1の時間領域OFDM信号を第1のサンプリングレートでフィルタリングしてもよい。M個の空間的な送信層の各々におけるそのフィルタリングされた第1の時間領域OFDM信号に、第2のサンプリングレートでアップサンプリングを実行する。次に、アップサンプリングの後に得られるとともにM個の空間的な送信層の各々における第1の時間領域OFDM信号に第2のサンプリングレートでディジタル周波数変換を実行し、それによって、アップサンプリングの後に得られるとともにM個の空間的な送信層の各々における第1の時間領域OFDM信号の中心周波数は、広帯域時間領域OFDM信号に対応する周波数位置に位置する。最後に、ディジタル周波数変換の後に得られるとともにM個の空間的な送信層の各々における第1の時間領域OFDM信号に空間プリコーディングを実行する。言い換えると、M個の空間的な送信層の各々における(例えば、第1の時間領域OFDM信号等の)時間領域OFDM信号にフィルタリング動作を最初に実行し、次に、アップサンプリング、ディジタル周波数変換、及び空間プリコーディングの動作を実行して、送信のために、ディジタル周波数変換の後に得られる時間領域OFDM信号を各々の送信アンテナポートにマッピングする。この方法においては、フィルタリング動作の数は、送信アンテナポートの数ではなく空間的な送信層の数に正比例する。空間的な送信層の数は、MIMOシステムにおける送信アンテナポートの数以下であるので、この出願のこの実施形態による信号送信方法によれば、信号送信の間のフィルタリングの複雑度を低減することが可能である。
【００５４】
この出願のこの実施形態においては、第1の時間領域OFDM信号は、少なくとも1つのサブキャリアを含んでもよい。さらに、第1の時間領域OFDM信号は、広帯域OFDM信号の左側又は右側に複数のサブキャリアを含んでもよい。
【００５５】
第1のサンプリングレートは、第1の時間領域OFDM信号の単一のサンプリングレートであってもよい。第1の時間領域OFDM信号の単一のサンプリングレートは、2n×(サブキャリアの帯域幅)であり、2nは、第1の時間領域OFDM信号に含まれるサブキャリアの数に最も近く、nは、1以上の整数である。例えば、第1の時間領域OFDM信号の帯域幅が900[KHz]であり、各々のサブキャリアの帯域幅が15[KHz]である場合に、第1の時間領域OFDM信号は、60個のサブキャリアを含み、60に最も近い2nは、128であり、第1のサンプリングレートは、128×15＝1920[kbps]＝1.92[Mbps]となる。
【００５６】
本明細書においては、アップサンプリングは、フィルタリングされた第1の時間領域OFDM信号がサンプリングされ、そのサンプリングされた信号のサンプリングレートが、フィルタリングされた信号のサンプリングレートよりも大きいということを意味する。アンテナポートに最終的にマッピングされる信号の単一のサンプリングレートは、広帯域OFDM信号の単一のサンプリングレートと同じである。
【００５７】
本明細書においては、ディジタル周波数変換は、アップサンプリングの後に得られる信号にスペクトラム移動を実行して、広帯域OFDM信号に対応するスペクトラム位置へと信号を移動させるということを意味する。
【００５８】
選択的に、M個の空間的な送信層の各々におけるフィルタリングされた第1の時間領域OFDM信号に空間プリコーディングを実行し、そして、M個の空間的な送信層の各々におけるフィルタリングされた第1の時間領域OFDM信号をNt個の送信アンテナポートにマッピングする場合に、M個の空間的な送信層のうちのi番目の空間的な送信層におけるフィルタリングされた第1の時間領域OFDM信号は、第1のフィルタリング帯域幅において時間領域プリコーディングベクトルWiを使用することによって、Nt個の送信アンテナポートに個別にマッピングされてもよく、i＝1,2,…,Mであり、iは、M個の空間的な送信層のインデックスを表す。
【００５９】
具体的には、M個の空間的な送信層の各々における第1の時間領域OFDM信号は、第1のフィルタリング帯域幅の全体を占有する。加えて、その第1のフィルタリング帯域幅において、同じ空間プリコーディングベクトルは、その空間的な送信層における第1の時間領域OFDM信号にプリコーディングを実行するのに使用される。
【００６０】
以下の記載では、第1の時間領域OFDM信号が、20[MHz]のOFDM帯域幅信号の中で帯域幅が900[KHz]であるサブバンド信号となっている1つの例を使用して、この出願のこの実施形態における信号送信方法を詳細に説明する。説明を容易にするために、本明細書にいう第1の時間領域OFDM信号は、第1のサブバンド信号と称されてもよい。加えて、20[MHz]のOFDM帯域幅信号は、帯域幅が900[KHz]である第2のサブバンド信号及び帯域幅が18.2[MHz]である第3の帯域幅信号をさらに含んでもよい。
【００６１】
図7A及び図7Bに示されているように、第1のサブバンドについて、(例えば、ネットワークデバイス101等の)ネットワークデバイスの送信機は、最初に、第1のサブバンドの(図7A及び図7Bにおいて"層"と称される)各々の空間的な送信層におけるOFDM周波数領域信号に基づいて、その空間的な送信層に対応する時間領域OFDM信号を生成する。M個の空間的な送信層の各々における時間領域OFDM信号に、(第1のサンプリングレートの1つの例である)1.92[Mbps]のサンプリングレートで、(例えば、高次のディジタル成形フィルタリング等の)フィルタリングを実行する。次に、M個の空間的な送信層の各々におけるフィルタリングされた時間領域OFDM信号に、(第2のサンプリングレートの1つの例である)30.72[Mbps]のサンプリングレートで、アップサンプリングを実行し、そして、そのサンプリングされた時間領域OFDM信号にディジタル周波数変換を実行する。最後に、プリコーディングベクトル
【数３】
2019528606.tif 000005
を使用することによって、ディジタル周波数変換の後に得られるとともにM個の空間的な送信層の各々における時間領域OFDM信号に空間プリコーディングを実行し、そして、ディジタル周波数変換の後に得られるとともにM個の空間的な送信層の各々における時間領域OFDM信号を各々の送信アンテナポートにマッピングする。
【００６２】
900[KHz]の第2のサブバンドについては、ネットワークデバイスの送信機は、最初に、各々のアンテナポートにおける周波数領域OFDM信号に基づいて、そのアンテナポートに対応する時間領域OFDM信号を生成し、そして、次に、各々のアンテナポートにおけるその時間領域OFDM信号に(例えば、高次のディジタル成形フィルタリング等の)フィルタリングを実行する。18.2[MHz]の第3のサブバンドについては、ネットワークデバイスの送信機は、最初に、各々のアンテナポートにおける周波数領域OFDM信号に基づいて、そのアンテナポートに対応する時間領域OFDM信号を生成し、そして、次に、各々のアンテナポートにおけるその時間領域OFDM信号に(例えば、低次のフィルタリング等の)フィルタリングを実行する。最後に、複数の送信アンテナポートにおけるデータを重畳した後に、完全な広帯域信号が形成され、対応するRRUに出力され、そして、そのRRUは、対応する送信アンテナを使用することによって、各々の送信アンテナポートにおけるデータを送信する。
【００６３】
周波数領域信号からの時間領域信号の生成については、図5を参照するべきである。簡潔さのために、本明細書においては、詳細は繰り返しては説明されない。
【００６４】
第2のサンプリングレートは、第2のサブバンド信号の単一のサンプリングレートであってもよい。第2のサブバンド信号の単一のサンプリングレートは、2n×(サブキャリアの帯域幅)であり、2nは、第2のサブバンド信号に含まれるサブキャリアの数に最も近く、nは、1以上の整数である。例えば、第2のサブバンド信号の帯域幅が18.2[MHz]であり、各々のサブキャリアの帯域幅が15[KHz]である場合に、第2のサブバンド信号は、1213個のサブキャリアを含み、60に最も近い2nは、2048であり、第2のサンプリングレートは、2048×15＝30720[kbps]＝30.72[Mbps]となる。
【００６５】
本明細書におけるプリコーディングベクトル
【数４】
2019528606.tif 000006
は、アップサンプリングの動作の後に得られるプリコーディングベクトルであり、プリコーディングベクトル
【数５】
2019528606.tif 000007
に基づいて、スペクトラム移動が実行されるということをさらに理解すべきである。
【００６６】
アンテナポートにおけるデータを重畳する場合には、それらの重畳される第1のサブバンド信号、第2のサブバンド信号、及び第3のサブバンド信号は、時間的に厳密に同期させられているということを保証する必要があるということに留意すべきである。
【００６７】
上記の第1のサブバンド信号は、20[MHz]のOFDM帯域幅信号の左側に複数のサブキャリアを含んでもよく、第2のサブバンド信号は、その右側に複数のサブキャリアを含んでもよく、第3のサブバンド信号として残りのサブキャリアを使用してもよいということを理解すべきである。
【００６８】
この出願のこの実施形態においては、最初に、第1のサブバンド信号に、フィルタリング、アップサンプリング、及びディジタル周波数変換の動作を実行し、次に、ディジタル周波数変換の後に得られる第1のサブバンド信号に、プリコーディングを実行し、そして、各々の送信アンテナポートにその信号をマッピングし、それによって、第1のサブバンド信号に対するフィルタリング動作の数は、送信アンテナポートの数ではなく、空間的な送信層の数に正比例する。空間的な送信層の数は、MIMOシステムにおける送信アンテナポートの数以下であるので、この出願のこの実施形態による時間領域OFDN信号送信方法によれば、信号送信の間のフィルタリングの複雑度を低減することが可能である。
【００６９】
選択的に、当該方法は、N個の空間的な送信層の各々における第2の時間領域OFDM信号を第3のサンプリングレートでフィルタリングするステップであって、Nは、1以上の整数である、ステップと、N個の空間的な送信層の各々におけるフィルタリングされた第2の時間領域OFDM信号に第4のサンプリングレートでアップサンプリングを実行するステップであって、第4のサンプリングレートは、第3のサンプリングレートよりも大きい、ステップと、アップサンプリングの後に得られるとともにN個の空間的な送信層の各々における第2の時間領域OFDM信号に第4のサンプリングレートでディジタル周波数変換を実行し、それによって、アップサンプリングの後に得られるとともにN個の空間的な送信層の各々における第2の時間領域OFDM信号の中心周波数は、第2の時間領域OFDM信号が属しているシステム広帯域に対応する周波数位置に位置する、ステップと、ディジタル周波数変換の後に得られるとともにN個の空間的な送信層の各々における第2の時間領域OFDM信号に空間プリコーディングを実行し、そして、N個の空間的な送信層の各々におけるフィルタリングされた第2の時間領域OFDM信号をNt個の送信アンテナポートにマッピングするステップと、をさらに含んでもよく、Nt個の送信アンテナポートのすべてにマッピングされているとともにM個の空間的な送信層における第1の時間領域OFDM信号を重畳して送信するステップは、Nt個の送信アンテナポートのすべてにマッピングされているとともにM個の空間的な送信層における第1の時間領域OFDM信号及びN個の空間的な送信層における第2の時間領域OFDM信号を重畳して送信するステップを含む。
【００７０】
この出願のこの実施形態においては、第2の時間領域OFDM信号は、広帯域OFDM信号の他のサイドバンド信号であってもよい。例えば、第2の時間領域OFDM信号は、図7A及び図7Bの中の第2のサイドバンド信号であってもよい。第2の時間領域OFDM信号に関する具体的な動作については、第1の時間領域OFDM信号に関する上記の動作を参照するべきである。詳細については、図7A及び図7Bの中の第1のサブバンド信号に関する動作を参照するべきである。簡潔さのために、本明細書においては、詳細は繰り返しては説明されない。
【００７１】
本明細書におけるM及びNは、同じであってもよく、或いは、異なっていてもよいということに留意すべきである。このことは、この出願のこの実施形態においては制限されない。第1の時間領域OFDM信号の帯域幅と第2の時間領域OFDM信号の帯域幅は、等しくてもよく、或いは、等しくなくてもよい。
【００７２】
本明細書においては、第3のサンプリングレートについては、第1のサンプリングレートの上記の説明を参照するべきである。簡潔さのため、本明細書においては、詳細は繰り返しては説明されない。
【００７３】
本明細書においては、アップサンプリングは、フィルタリングされた信号がサンプリングされ、そのサンプリングされた信号のサンプリングレートが、フィルタリングされた信号のサンプリングレートよりも大きいということを意味する。アンテナポートに最終的にマッピングされる第2の時間領域OFDM信号の単一のサンプリングレートは、広帯域OFDM信号の単一のサンプリングレートと同じである。
【００７４】
本明細書においては、ディジタル周波数変換は、アップサンプリングの後に得られる信号にスペクトラム移動を実行して、広帯域信号に対応するスペクトラム位置へと信号を移動させるということを意味する。
【００７５】
選択的に、ディジタル周波数変換の後に得られるとともにN個の空間的な送信層の各々における第2の時間領域OFDM信号に空間プリコーディングを実行し、そして、N個の空間的な送信層の各々におけるフィルタリングされた第2の時間領域OFDM信号をNt個の送信アンテナポートにマッピングするステップは、第2のフィルタリング帯域幅において時間領域プリコーディングベクトルWjを使用することによって、N個の空間的な送信層のうちのj番目の空間的な送信層におけるフィルタリングされた第2の時間領域OFDM信号をNt個の送信アンテナポートに個別にマッピングするステップを含み、j＝1,2,…,Nであり、jは、N個の空間的な送信層のインデックスを表す。
【００７６】
具体的には、N個の空間的な送信層の各々におけるデータは、第2のフィルタリング帯域幅の全体を占有する。加えて、その第2のフィルタリング帯域幅において、同じ空間プリコーディングベクトルは、各々の空間的な送信層における第2の時間領域OFDM信号にプリコーディングを実行するのに使用される。
【００７７】
選択的に、当該方法は、Nt個の送信アンテナポートの各々に対応する第3の時間領域OFDM信号を第5のサンプリングレートでフィルタリングするステップをさらに含み、第5のサンプリングレートは、第1のサンプリングレート及び/又は第3のサンプリングレートよりも大きく、Nt個の送信アンテナポートのすべてにマッピングされているとともにM個の空間的な送信層における第1の時間領域OFDM信号を重畳して送信するステップは、Nt個の送信アンテナポートのすべてにマッピングされているとともにM個の空間的な送信層における第1の時間領域OFDM信号、N個の空間的な送信層における第2の時間領域OFDM信号、及びフィルタリングされた第3の時間領域OFDM信号を重畳して送信するステップを含む。
【００７８】
具体的には、広帯域OFDM信号は、第1の時間領域OFDM信号及び第2の時間領域OFDM信号を含んでもよく、第3の時間領域OFDM信号をさらに含んでもよい。第3の時間領域OFDM信号は、広帯域OFDM信号の中間サブバンド信号であってもよい。第3のサブバンド信号は、プリコーディングの後に得られるとともに送信アンテナポートにマッピングされている信号であってもよい。この場合に、第3の時間領域OFDM信号にフィルタリング処理を実行してもよい、すなわち、送信アンテナポートにおける第3の時間領域OFDM信号に対して、各々の送信アンテナポートにおいてフィルタリング処理を実行する。本明細書においては、そのフィルタリングの際に、低次の成形フィルタリングを使用してもよい。次に、第1の時間領域OFDM信号及び第2の時間領域OFDM信号を対応する送信アンテナポートにマッピングすることによって得られるデータと、アンテナポートにおいてフィルタリングされた第3の時間領域OFDM信号と、を重畳して送信する。
【００７９】
以下の記載では、図8A及び図8Bを参照して、OFDM信号が、20[MHz]のOFDM帯域幅信号であり、第1の時間領域OFDM信号が、900[KHz]のサイドバンドOFDM信号(又は、第1のサブバンド信号と称される)であり、第2の時間領域OFDM信号が、900[KHz]のサイドバンドOFDM信号(又は、第2のサブバンド信号と称される)であり、第3の時間領域OFDM信号が、18.2[MHz]の中間サブバンド信号(又は、第3のサブバンド信号と称される)であり、そして、N＝Mである1つの例を使用して、この出願のこの実施形態において提供される信号送信方法を詳細に説明する。
【００８０】
図8A及び図8Bに示されているように、第2のサブバンドについて、(例えば、ネットワークデバイス101等の)ネットワークデバイスの送信機は、最初に、第2のサブバンドの(図8A及び図8Bにおいて"層"と称される)各々の空間的な送信層におけるOFDM周波数領域信号に基づいて、その空間的な送信層に対応する時間領域OFDM信号を生成する。ネットワークデバイスの送信機は、M個の空間的な送信層の各々における時間領域OFDM信号に、1.92[Mbps]のサンプリングレートで、(例えば、高次のディジタル成形フィルタリング等の)フィルタリングを実行する。次に、N個の空間的な送信層の各々におけるフィルタリングされたOFDM信号に、30.72[Mbps]のサンプリングレートで、アップサンプリングを実行し、そして、そのサンプリングされた時間領域OFDM信号にディジタル周波数変換を実行する。最後に、プリコーディングベクトル
【数６】
2019528606.tif 000008
を使用することによって、ディジタル周波数変換の後に得られるとともにM個の空間的な送信層の各々におけるOFDM信号に空間プリコーディングを実行し、そして、ディジタル周波数変換の後に得られるとともにM個の空間的な送信層の各々におけるOFDM信号を各々の送信アンテナポートにマッピングする。第1のサブバンド信号については、図7A及び図7Bにおける第1のサブバンド信号に関する動作を参照するべきである。簡潔さのために、本明細書においては、詳細は繰り返しては説明されない。第3のサブバンド信号については、図7A及び図7Bにおける第3のサブバンド信号に関する動作を参照するべきである。簡潔さのために、本明細書においては、詳細は繰り返しては説明されない。最終的に、送信アンテナポートにおけるデータを重畳した後に、完全な広帯域信号が形成され、対応するRRUに出力され、そして、そのRRUは、対応する送信アンテナを使用することによって、各々の送信アンテナポートにおけるデータを送信する。
【００８１】
周波数領域信号からの時間領域信号の生成については、図5に示されている方法を参照するべきである。簡潔さのため、本明細書においては、詳細は繰り返しては説明されない。
【００８２】
第5のサンプリングレートは、第3のサブバンド信号の単一のサンプリングレートであってもよい。第3の周波数帯域信号の単一のサンプリングレートは、2n×(サブキャリアの帯域幅)であり、2nは、第3の周波数帯域信号に含まれるサブキャリアの数に最も近く、nは、1以上の整数である。例えば、第3の周波数帯域信号の帯域幅が18.2[MHz]であり、各々のサブキャリアの帯域幅が15[KHz]である場合に、第3の周波数帯域信号は、1213個のサブキャリアを含み、60に最も近い2nは、2048であり、第5のサンプリングレートは、2048×15＝30720[kbps]＝30.72[Mbps]となる。
【００８３】
本明細書における
【数７】
2019528606.tif 000009
は、プリコーディングベクトル
【数８】
2019528606.tif 000010
に、アップサンプリング及びディジタル周波数変換の動作を実行した後に得られるプリコーディングベクトルであるということを理解すべきである。
【００８４】
複数の異なるプリコーディングベクトルが複数の異なるサブバンドにおいて使用され、したがって、第1のサブバンド信号及び第2のサブバンド信号にプリコーディングを実行する際に、使用されるプリコーディングベクトルは異なっているということをさらに理解すべきである。
【００８５】
アンテナポートにおけるデータを重畳する場合には、それらの重畳される第1のサブバンド信号、第2のサブバンド信号、及び第3のサブバンド信号は、時間的に厳密に同期させられているということを保証する必要があるということに留意すべきである。
【００８６】
この出願のこの実施形態においては、第1のサブバンド信号及び第2のサブバンド信号に、フィルタリング、アップサンプリング、及びディジタル周波数変換の動作を実行し、次に、ディジタル周波数変換の後に得られる第1のサブバンド信号及び第2のサブバンド信号を各々の送信アンテナポートにマッピングし、それによって、第1のサブバンド信号及び第2のサブバンド信号の各々に対するフィルタリング動作の数は、送信アンテナポートの数ではなく、空間的な送信層の数に正比例する。空間的な送信層の数は、MIMOシステムにおける送信アンテナポートの数以下であるので、この出願のこの実施形態による信号送信方法によれば、信号送信の間のフィルタリングの複雑度を低減することが可能である。
【００８７】
この出願のこの実施形態にしたがった信号送信方法を説明する場合に、関連する"サブバンド"は、広帯域におけるサブバンドであり、本当の意味でのサブバンドではない。言い換えると、関連する広帯域は、MIMOシステムにおける実際のサブバンドであってもよく、或いは、当業者がよく知っているサブバンドであってもよい。この出願のこの実施形態においては、説明のための1つの例として、MIMOシステムにおけるサブバンドのみを使用している。MIMOシステムが、(例えば、20[MHz]の複数のサブバンド等の)複数のサブバンドを含む場合に、各々のサブバンドにおける時間領域OFDM信号に関する動作については、上記の説明における信号送信方法を参照すべきである。簡潔さのため、本明細書においては、詳細は繰り返しては説明されない。
【００８８】
上記では、図1乃至図8A及び図8Bを参照して、この出願の実施形態にしたがった信号送信方法を詳細に説明している。以下の記載は、図9及び図10を参照して、この出願の複数の実施形態にしたがった信号送信装置を説明する。
【００８９】
図9は、この出願のある1つの実施形態にしたがった信号送信装置900を示す。図9に示されているように、装置900は、フィルタリングユニット910、プリコーディングユニット920、及び送信ユニット930を含む。
【００９０】
フィルタリングユニット910は、M個の空間的な送信層の各々における第1の時間領域OFDM信号をフィルタリングするように構成され、Mは、1以上の整数である。
【００９１】
プリコーディングユニット920は、フィルタリングユニット910によってフィルタリングされているとともにM個の空間的な送信層の各々における第1の時間領域OFDM信号に空間プリコーディングを実行し、そして、M個の空間的な送信層の各々におけるフィルタリングされた第1の時間領域OFDM信号をNt個の送信アンテナポートの各々にマッピングする、ように構成され、Ntは、M以上の整数である。
【００９２】
送信ユニット930は、Nt個の送信アンテナポートのすべてにプリコーディングユニット920によってマッピングされているとともにM個の空間的な送信層における第1の時間領域OFDM信号を重畳して送信するように構成される。
【００９３】
上記のフィルタリングユニット及びプリコーディングユニットは、ソフトウェアを使用することによって実装されてもよく、構成することが可能であるプロセッサ等のハードウェアを使用することによって実装されてもよく、或いは、例えば、構成することが可能であるソフトウェアアルゴリズムを使用することによってプロセッサによって実装されてもよいといったように、構成することが可能であるソフトウェア及びハードウェアの組み合わせを使用することによって実装されてもよいということを理解すべきである。このことは、この出願のこの実施形態においては制限されない。
【００９４】
この出願のこの実施形態における信号送信装置によれば、M個の空間的な送信層の各々における(例えば、第1の時間領域OFDM信号等の)時間領域OFDM信号にフィルタリング動作を最初に実行し、次に、空間プリコーディングを実行し、そして、送信のために、その空間的な送信層におけるそのフィルタリングされた時間領域OFDM信号を各々の送信アンテナポートにマッピングする。この方法においては、フィルタリング動作の数は、送信アンテナポートの数ではなく空間的な送信層の数に正比例する。空間的な送信層の数は、MIMOシステムにおける送信アンテナポートの数以下であるので、この出願のこの実施形態による信号送信装置によれば、信号送信の間のフィルタリングの複雑度を低減することが可能である。
【００９５】
選択的に、フィルタリングユニット910は、特に、M個の空間的な送信層の各々における第1の時間領域OFDM信号を第1のサンプリングレートでフィルタリングするように構成される。
【００９６】
当該装置は、
M個の空間的な送信層の各々におけるフィルタリングされた第1の時間領域OFDM信号に第2のサンプリングレートでアップサンプリングを実行するように構成されるアップサンプリングユニット940であって、第2のサンプリングレートは、第1のサンプリングレートよりも大きい、アップサンプリングユニット940と、
アップサンプリングの後に得られるとともにM個の空間的な送信層の各々における第1の時間領域OFDM信号に第2のサンプリングレートでディジタル周波数変換を実行するように構成され、それによって、アップサンプリングの後に得られるとともにM個の空間的な送信層の各々における第1の時間領域OFDM信号の中心周波数は、第1の時間領域OFDM信号が属しているシステム広帯域に対応する周波数位置に位置する、ディジタル周波数変換ユニット950と、をさらに含む。
【００９７】
プリコーディングユニット920は、特に、
ディジタル周波数変換の後に得られるとともにM個の空間的な送信層の各々における第1の時間領域OFDM信号に空間プリコーディングを実行するように構成される。
【００９８】
選択的に、フィルタリングユニット910は、さらに、N個の空間的な送信層の各々における第2の時間領域OFDM信号を第3のサンプリングレートでフィルタリングするように構成され、Nは、1以上の整数である。
【００９９】
アップサンプリングユニット940は、さらに、N個の空間的な送信層の各々におけるフィルタリングされた第2の時間領域OFDM信号に第4のサンプリングレートでアップサンプリングを実行するように構成され、第4のサンプリングレートは、第3のサンプリングレートよりも大きい。
【０１００】
ディジタル周波数変換ユニット950は、さらに、アップサンプリングの後に得られるとともにN個の空間的な送信層の各々における第2の時間領域OFDM信号に第4のサンプリングレートでディジタル周波数変換を実行するように構成され、それによって、アップサンプリングの後に得られるとともにN個の空間的な送信層の各々における第2の時間領域OFDM信号の中心周波数は、第2の時間領域OFDM信号が属しているシステム広帯域に対応する周波数位置に位置する。
【０１０１】
プリコーディングユニット920は、特に、ディジタル周波数変換の後に得られるとともにN個の空間的な送信層の各々における第2の時間領域OFDM信号に空間プリコーディングを実行し、そして、N個の空間的な送信層の各々におけるフィルタリングされた第2の時間領域OFDM信号をNt個の送信アンテナポートにマッピングする、ように構成される。
【０１０２】
送信ユニット910は、特に、Nt個の送信アンテナポートのすべてにマッピングされているとともにM個の空間的な送信層における第1の時間領域OFDM信号及びN個の空間的な送信層における第2の時間領域OFDM信号を重畳して送信するように構成される。
【０１０３】
選択的に、フィルタリングユニット910は、さらに、Nt個の送信アンテナポートの各々に対応する第3の時間領域OFDM信号を第5のサンプリングレートでフィルタリングするように構成され、第5のサンプリングレートは、第1のサンプリングレート及び/又は第3のサンプリングレートよりも大きい。
【０１０４】
送信ユニット930は、特に、Nt個の送信アンテナポートのすべてにマッピングされているとともにM個の空間的な送信層における第1の時間領域OFDM信号、N個の空間的な送信層における第2の時間領域OFDM信号、及びフィルタリングされた第3の時間領域OFDM信号を重畳して送信するように構成される。
【０１０５】
選択的に、プリコーディングユニット920は、特に、第1のフィルタリング帯域幅において時間領域プリコーディングベクトルWiを使用することによって、M個の空間的な送信層のうちのi番目の空間的な送信層におけるフィルタリングされた第1の時間領域OFDM信号をNt個の送信アンテナポートに個別にマッピングするように構成され、i＝1,2,…,Mであり、iは、M個の空間的な送信層のインデックスを表す。
【０１０６】
選択的に、プリコーディングユニット920は、特に、第2のフィルタリング帯域幅において時間領域プリコーディングベクトルWjを使用することによって、N個の空間的な送信層のうちのj番目の空間的な送信層におけるフィルタリングされた第2の時間領域OFDM信号をNt個の送信アンテナポートに個別にマッピングするように構成され、j＝1,2,…,Nであり、jは、N個の空間的な送信層のインデックスを表す。
【０１０７】
この出願のこの実施形態にしたがった装置900は、この出願の複数の実施形態にしたがった信号送信方法に対応していてもよい。加えて、装置900の中のユニット及び/又はモジュールは、それぞれ、上記の信号送信方法の複数のステップを実装するように構成される。簡潔さのため、本明細書においては、詳細は説明されない。
【０１０８】
図10は、この出願の他の実施形態にしたがった信号送信装置900を示している。図10に示されているように、その装置1000は、プロセッサ1010、トランシーバー1020、及びメモリ1030を含む。メモリ1030は、命令を格納するように構成されていてもよい。プロセッサ1010は、メモリ1030の中に格納されている命令を実行するように構成される。その格納されている命令が実行されると、以下のようになる。
【０１０９】
プロセッサ1010は、M個の空間的な送信層の各々における第1の時間領域OFDM信号をフィルタリングするように構成され、Mは、1以上の整数である。
【０１１０】
プロセッサ1010は、さらに、M個の空間的な送信層の各々におけるフィルタリングされた第1の時間領域OFDM信号に空間プリコーディングを実行し、そして、M個の空間的な送信層の各々におけるフィルタリングされた第1の時間領域OFDM信号をNt個の送信アンテナポートの各々にマッピングする、ように構成され、Ntは、M以上の整数である。
【０１１１】
トランシーバー1020は、Nt個の送信アンテナポートのすべてにマッピングされているとともにM個の空間的な送信層における第1の時間領域OFDM信号を重畳して送信するように構成される。
【０１１２】
この出願のこの実施形態においては、プロセッサ1010は、中央処理ユニット(central  processing  unit,  CPU)であってもよいということを理解すべきである。代替的に、プロセッサ1010は、他の汎用プロセッサ、信号プロセッサ(DSP)、特定用途向け集積回路(ASIC)、フィールドプログラマブルゲートアレイ(FPGA)、或いは、他のプログラム可能な論理デバイス、個別のゲート又はトランジスタ論理デバイス、或いは、個別のハードウェア構成要素等であってもよい。汎用プロセッサは、マイクロプロセッサであってもよく、或いは、プロセッサは、いずれかの従来のプロセッサ等であってもよい。
【０１１３】
メモリ1030は、読み取り専用メモリ及びランダムアクセスメモリを含んでもよく、プロセッサ1010に命令及びデータを提供してもよい。プロセッサ1010の一部分は、不揮発性ランダムアクセスメモリをさらに含んでもよい。例えば、プロセッサ1010は、さらに、デバイスタイプ情報を格納していてもよい。
【０１１４】
ある1つの実装プロセスにおいて、プロセッサ1010の中のハードウェアの論理集積回路を使用することによって、或いは、ソフトウェアの形態の命令を使用することによって、上記の方法の各々のステップを完了してもよい。この出願の複数の実施形態における信号送信方法の複数のステップは、ハードウェアプロセッサによって直接的に実行されてもよく、或いは、プロセッサの中のハードウェア及びソフトウェアモジュールの組み合わせを使用することによって実行されてもよい。ソフトウェアモジュールは、ランダムアクセスメモリ、フラッシュメモリ、読み出し専用メモリ、プログラム可能な読み出し専用メモリ、電気的に消去可能かつプログラム可能なメモリ、又はレジスタ等のこの技術分野においてよく知られている記憶媒体の中に位置していてもよい。記憶媒体は、メモリ1030の中に位置し、プロセッサ1010は、メモリ1030の中の情報を読み取り、プロセッサ1010のハードウェアと組み合わせて上記の方法のそれらの複数のステップを実装する。繰り返しを避けるために、本明細書においては、詳細は説明されない。
【０１１５】
この出願のこの実施形態における信号送信装置によれば、M個の空間的な送信層の各々における(例えば、第1の時間領域OFDM信号等の)時間領域OFDM信号にフィルタリング動作を最初に実行し、次に、空間プリコーディングを実行し、そして、送信のために、その空間的な送信層におけるそのフィルタリングされた時間領域OFDM信号を各々の送信アンテナポートにマッピングする。この方法においては、フィルタリング動作の数は、送信アンテナポートの数ではなく空間的な送信層の数に正比例する。空間的な送信層の数は、MIMOシステムにおける送信アンテナポートの数以下であるので、この出願のこの実施形態による信号送信装置によれば、信号送信の間のフィルタリングの複雑度を低減することが可能である。
【０１１６】
選択的に、プロセッサ1010は、特に、
M個の空間的な送信層の各々における第1の時間領域OFDM信号を第1のサンプリングレートでフィルタリングし、
M個の空間的な送信層の各々におけるフィルタリングされた第1の時間領域OFDM信号に第2のサンプリングレートでアップサンプリングを実行し、第2のサンプリングレートは、第1のサンプリングレートよりも大きく、
アップサンプリングの後に得られるとともにM個の空間的な送信層の各々における第1の時間領域OFDM信号に第2のサンプリングレートでディジタル周波数変換を実行し、それによって、アップサンプリングの後に得られるとともにM個の空間的な送信層の各々における第1の時間領域OFDM信号の中心周波数は、第1の時間領域OFDM信号が属しているシステム広帯域に対応する周波数位置に位置し、そして、
ディジタル周波数変換の後に得られるとともにM個の空間的な送信層の各々における第1の時間領域OFDM信号に空間プリコーディングを実行する、ように構成される。
【０１１７】
選択的に、プロセッサ1010は、さらに、N個の空間的な送信層の各々における第2の時間領域OFDM信号を第3のサンプリングレートでフィルタリングし、Nは、1以上の整数であり、
N個の空間的な送信層の各々におけるフィルタリングされた第2の時間領域OFDM信号に第4のサンプリングレートでアップサンプリングを実行し、第4のサンプリングレートは、第3のサンプリングレートよりも大きく、
アップサンプリングの後に得られるとともにN個の空間的な送信層の各々における第2の時間領域OFDM信号に第4のサンプリングレートでディジタル周波数変換を実行し、それによって、アップサンプリングの後に得られるとともにN個の空間的な送信層の各々における第2の時間領域OFDM信号の中心周波数は、第2の時間領域OFDM信号が属しているシステム広帯域に対応する周波数位置に位置し、そして、
ディジタル周波数変換の後に得られるとともにN個の空間的な送信層の各々における第2の時間領域OFDM信号に空間プリコーディングを実行し、そして、N個の空間的な送信層の各々におけるフィルタリングされた第2の時間領域OFDM信号をNt個の送信アンテナポートにマッピングする、ように構成される。
【０１１８】
トランシーバー1020は、特に、Nt個の送信アンテナポートのすべてにマッピングされているとともにM個の空間的な送信層における第1の時間領域OFDM信号及びN個の空間的な送信層における第2の時間領域OFDM信号を重畳して送信するように構成される。
【０１１９】
選択的に、プロセッサ1010は、さらに、Nt個の送信アンテナポートの各々に対応する第3の時間領域OFDM信号を第5のサンプリングレートでフィルタリングするように構成され、第5のサンプリングレートは、第1のサンプリングレート及び/又は第3のサンプリングレートよりも大きい。
【０１２０】
トランシーバー1020は、特に、Nt個の送信アンテナポートのすべてにマッピングされているとともにM個の空間的な送信層における第1の時間領域OFDM信号、N個の空間的な送信層における第2の時間領域OFDM信号、及びフィルタリングされた第3の時間領域OFDM信号を重畳して送信するように構成される。
【０１２１】
選択的に、プロセッサ1010は、特に、第1のフィルタリング帯域幅において時間領域プリコーディングベクトルWiを使用することによって、M個の空間的な送信層のうちのi番目の空間的な送信層におけるフィルタリングされた第1の時間領域OFDM信号をNt個の送信アンテナポートに個別にマッピングするように構成され、i＝1,2,…,Mであり、iは、M個の空間的な送信層のインデックスを表す。
【０１２２】
選択的に、プロセッサ1010は、特に、第2のフィルタリング帯域幅において時間領域プリコーディングベクトルWjを使用することによって、N個の空間的な送信層のうちのj番目の空間的な送信層におけるフィルタリングされた第2の時間領域OFDM信号をNt個の送信アンテナポートに個別にマッピングするように構成され、j＝1,2,…,Nであり、jは、N個の空間的な送信層のインデックスを表す。
【０１２３】
この出願のこの実施形態にしたがった装置1000は、この出願の複数の実施形態にしたがった信号送信方法に対応していてもよい。加えて、装置1000の中のユニット及び/又はモジュールは、それぞれ、図2又は上記の信号送信方法の複数のステップを実装するように構成される。簡潔さのため、本明細書においては、詳細は説明されない。
【０１２４】
本明細書の中の"及び/又は"との記載は、複数の関連する対象物を説明するためのある関連性関係を説明しているにすぎず、3つの関係が存在してもよいということを表すということを理解すべきである。例えば、A及び/又はBは、Aのみが存在する、A及びBの双方が存在する、及び、Bのみが存在する、という3つの状況を表していてもよい。加えて、本明細書の中の文字"/"は、通常は、それらの関連する対象物の間の"又は"の関係を示している。
【０１２５】
上記の複数のプロセスのシーケンス番号は、この出願のさまざまな実施形態の中での実行順序を意味するものではないということを理解するべきである。それらの複数のプロセスの実行順序は、それらの複数のプロセスの機能及び内部ロジックにしたがって決定されるべきものであり、この出願の複数の実施形態の複数の実装プロセスに対するいかなる限定としても解釈されるべきではない。
【０１２６】
当業者は、本明細書において開示されているそれらの複数の実施形態の中で説明されている複数の例と関連して、電子的なハードウェア、コンピュータソフトウェア、又はそれらの組み合わせによって、複数のユニット及び複数のアルゴリズムステップを実装してもよいということを理解することが可能である。ハードウェアとソフトウェアとの間の互換性をより明確に説明するために、上記の記載では、複数の機能にしたがって、各々の例の複数の構成及び複数のステップを一般的に説明してきた。それらの複数の機能をハードウェアによって実行するか又はソフトウェアによって実行するかは、複数の技術的解決方法の複数の特定の応用及び設計上の制約条件によって決まる。当業者は、複数の異なる方法を使用して、各々の特定の応用のためのそれらの説明された機能を実装することが可能であるが、その実装がこの出願の範囲を超えると解釈されるべきではない。
【０１２７】
利便性及び説明の簡潔さのために、上記のシステム、装置、及びユニットの詳細は動作プロセスについては、上記の方法の実施形態の中の対応するプロセスを参照するべきであるということを当業者は明確に理解することが可能であり、本明細書においては、詳細は繰り返しては説明されない。
【０１２８】
この出願によって提供される複数の実施形態においては、複数の他の方式によって、開示されたシステム、装置、及び方法を実装してもよいということを理解すべきである。例えば、開示されている装置の実施形態は、1つの例にすぎない。例えば、ユニットの分割は、論理的な機能の分割にすぎず、実際の実装においては、他の分割であってもよい。例えば、複数のユニット又は構成要素を組み合わせ又は一体化して、他のシステムとしてもよく、或いは、複数の特徴を無視し又は実行しなくてもよい。加えて、複数のインターフェイス、複数の装置又は複数のユニットの間の非直接的な結合又は通信接続、又は、電気的な接続、機械的な接続、或いは、他の形態での接続を使用して、示された又は説明された相互の結合又は直接的な接続又は通信接続を実装してもよい。
【０１２９】
複数の個別の部分として説明されている複数のユニットは、物理的に分離していてもよく又は物理的に分離していなくてもよく、複数のユニットとして示されている部分は、複数の物理的なユニットであってもよく又は複数の物理的なユニットでなくてもよく、1つの場所に位置していてもよく、又は、複数のネットワークユニットに分散していてもよい。実際の必要性にしたがって、それらのユニットのうちの一部又はすべてを選択して、この出願の複数の実施形態の複数の解決方法の目的を達成してもよい。
【０１３０】
加えて、この出願の複数の実施形態における複数の機能ユニットを一体化して、1つの処理ユニットとしてもよく、或いは、それらの複数のユニットの各々は、物理的に単独で存在していてもよく、或いは、2つ又はそれ以上のユニットを一体化して、1つのユニットとしてもよい。その一体化されたユニットは、ハードウェアの形態で実装されてもよく、又は、ソフトウェア機能ユニットの形態で実装されてもよい。
【０１３１】
一体化されたユニットがソフトウェア機能ユニットの形態で実装され、独立した製品として販売され又は使用される場合に、コンピュータ読み取り可能な記憶媒体の中にその一体化されたユニットを格納してもよい。そのような理解に基づいて、この出願の複数の技術的解決方法を、本質的に、或いは、先行技術に寄与する部分或いはそれらの技術的解決方法のすべて又は一部を、ソフトウェア製品の形態で実装してもよい。ソフトウェア製品は、記憶媒体に格納され、この出願の複数の実施形態において説明された複数の方法の複数のステップのうちのすべて又は一部を実行するように、(パーソナルコンピュータ、サーバ、又はネットワークデバイス等であってもよい)コンピュータデバイスに指示する複数の命令を含む。上記の記憶媒体は、プログラムコードを格納することが可能であるUSBフラッシュドライブ、取り外し可能なハードディスク、読み取り専用メモリ(read-only  memory,  ROM)、ランダムアクセスメモリ(random  access  memory,  RAM)、磁気ディスク、又は光ディスク等のいずれかの媒体を含む。
【０１３２】
上記の説明は、この出願の特定の実施形態であるにすぎず、この出願の保護の範囲を限定することを意図するものではない。この出願によって開示されている技術的範囲の中で当業者が容易に考え出すことが可能であるあらゆる変形又は置換は、この出願の保護の範囲に属するものとする。したがって、この出願の保護の範囲は、請求項に記載された発明の保護の範囲に従うものとする。
【図１】
2019528606.tif 000011
【図２】
2019528606.tif 000012
【図３】
2019528606.tif 000013
【図４】
2019528606.tif 000014
【図５】
2019528606.tif 000015
【図６】
2019528606.tif 000016
【図７Ａ】
2019528606.tif 000017
【図７Ｂ】
2019528606.tif 000018
【図８Ａ】
2019528606.tif 000019
【図８Ｂ】
2019528606.tif 000020
【図９】
2019528606.tif 000021
【図１０】
2019528606.tif 000022
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
信号送信方法であって、
M個の空間的な送信層の各々における第1の時間領域OFDM信号をフィルタリングするステップであって、Mは、1以上の整数である、ステップと、
前記M個の空間的な送信層の各々における前記フィルタリングされた第1の時間領域OFDM信号に空間プリコーディングを実行し、そして、前記M個の空間的な送信層の各々における前記フィルタリングされた第1の時間領域OFDM信号をNt個の送信アンテナポートの各々にマッピングするステップであって、Ntは、M以上の整数である、ステップと、
前記Nt個の送信アンテナポートのすべてにマッピングされているとともに前記M個の空間的な送信層における前記第1の時間領域OFDM信号を重畳して送信するステップと、を含む、
方法。
【請求項２】
M個の空間的な送信層の各々における第1の時間領域OFDM信号をフィルタリングする前記ステップは、
前記M個の空間的な送信層の各々における前記第1の時間領域OFDM信号を第1のサンプリングレートでフィルタリングするステップを含み、
前記M個の空間的な送信層の各々における前記フィルタリングされた第1の時間領域OFDM信号に空間プリコーディングを実行する前記ステップの前に、当該方法は、
前記M個の空間的な送信層の各々における前記フィルタリングされた第1の時間領域OFDM信号に第2のサンプリングレートでアップサンプリングを実行するステップであって、前記第2のサンプリングレートは、前記第1のサンプリングレートよりも大きい、ステップと、
アップサンプリングの後に得られるとともに前記M個の空間的な送信層の各々における前記第1の時間領域OFDM信号に前記第2のサンプリングレートでディジタル周波数変換を実行し、それによって、アップサンプリングの後に得られるとともに前記M個の空間的な送信層の各々における前記第1の時間領域OFDM信号の中心周波数は、前記第1の時間領域OFDM信号が属しているシステム広帯域に対応する周波数位置に位置する、ステップと、をさらに含み、
前記M個の空間的な送信層の各々における前記フィルタリングされた第1の時間領域OFDM信号に空間プリコーディングを実行する前記ステップは、
ディジタル周波数変換の後に得られるとともに前記M個の空間的な送信層の各々における前記第1の時間領域OFDM信号に空間プリコーディングを実行するステップを含む、請求項1に記載の方法。
【請求項３】
当該方法は、
N個の空間的な送信層の各々における第2の時間領域OFDM信号を第3のサンプリングレートでフィルタリングするステップであって、Nは、1以上の整数である、ステップと、
前記N個の空間的な送信層の各々における前記フィルタリングされた第2の時間領域OFDM信号に第4のサンプリングレートでアップサンプリングを実行するステップであって、前記第4のサンプリングレートは、前記第3のサンプリングレートよりも大きい、ステップと、
アップサンプリングの後に得られるとともに前記N個の空間的な送信層の各々における前記第2の時間領域OFDM信号に前記第4のサンプリングレートでディジタル周波数変換を実行し、それによって、アップサンプリングの後に得られるとともに前記N個の空間的な送信層の各々における前記第2の時間領域OFDM信号の中心周波数は、前記第2の時間領域OFDM信号が属しているシステム広帯域に対応する周波数位置に位置する、ステップと、
ディジタル周波数変換の後に得られるとともに前記N個の空間的な送信層の各々における前記第2の時間領域OFDM信号に空間プリコーディングを実行し、そして、前記N個の空間的な送信層の各々における前記フィルタリングされた第2の時間領域OFDM信号を前記Nt個の送信アンテナポートの各々にマッピングするステップと、をさらに含み、
前記Nt個の送信アンテナポートのすべてにマッピングされているとともに前記M個の空間的な送信層における前記第1の時間領域OFDM信号を重畳して送信する前記ステップは、
前記Nt個の送信アンテナポートのすべてにマッピングされているとともに前記M個の空間的な送信層における前記第1の時間領域OFDM信号及び前記N個の空間的な送信層における前記第2の時間領域OFDM信号を重畳して送信するステップを含む、請求項2に記載の方法。
【請求項４】
当該方法は、
前記Nt個の送信アンテナポートの各々に対応する第3の時間領域OFDM信号を第5のサンプリングレートでフィルタリングするステップをさらに含み、前記第5のサンプリングレートは、前記第1のサンプリングレート及び/又は前記第3のサンプリングレートよりも大きく、
前記Nt個の送信アンテナポートのすべてにマッピングされているとともに前記M個の空間的な送信層における前記第1の時間領域OFDM信号を重畳して送信する前記ステップは、
前記Nt個の送信アンテナポートのすべてにマッピングされているとともに前記M個の空間的な送信層における前記第1の時間領域OFDM信号、前記N個の空間的な送信層における前記第2の時間領域OFDM信号、及び前記フィルタリングされた第3の時間領域OFDM信号を重畳して送信するステップを含む、請求項3に記載の方法。
【請求項５】
前記M個の空間的な送信層の各々における前記フィルタリングされた第1の時間領域OFDM信号に空間プリコーディングを実行し、そして、前記M個の空間的な送信層の各々における前記フィルタリングされた第1の時間領域OFDM信号をNt個の送信アンテナポートの各々にマッピングする前記ステップは、
第1のフィルタリング帯域幅において時間領域プリコーディングベクトルWiを使用することによって、前記M個の空間的な送信層のうちのi番目の空間的な送信層における前記フィルタリングされた第1の時間領域OFDM信号を前記Nt個の送信アンテナポートの各々にマッピングするステップを含み、i＝1,2,…,Mであり、iは、前記M個の空間的な送信層のインデックスを表す、請求項1又は2に記載の方法。
【請求項６】
ディジタル周波数変換の後に得られるとともに前記N個の空間的な送信層の各々における前記第2の時間領域OFDM信号に空間プリコーディングを実行し、そして、前記N個の空間的な送信層の各々における前記フィルタリングされた第2の時間領域OFDM信号を前記Nt個の送信アンテナポートの各々にマッピングする前記ステップは、
第2のフィルタリング帯域幅において時間領域プリコーディングベクトルWjを使用することによって、前記N個の空間的な送信層のうちのj番目の空間的な送信層における前記フィルタリングされた第2の時間領域OFDM信号を前記Nt個の送信アンテナポートの各々に個別にマッピングするステップを含み、j＝1,2,…,Nであり、jは、前記N個の空間的な送信層のインデックスを表す、請求項3に記載の方法。
【請求項７】
信号送信装置であって、
M個の空間的な送信層の各々における第1の時間領域OFDM信号をフィルタリングするように構成されるフィルタリングユニットであって、Mは、1以上の整数である、フィルタリングユニットと、
前記フィルタリングユニットによってフィルタリングされているとともに前記M個の空間的な送信層の各々における前記第1の時間領域OFDM信号に空間プリコーディングを実行し、そして、前記M個の空間的な送信層の各々における前記フィルタリングされた第1の時間領域OFDM信号をNt個の送信アンテナポートの各々にマッピングする、ように構成されるプリコーディングユニットであって、Ntは、M以上の整数である、プリコーディングユニットと、
前記Nt個の送信アンテナポートのすべてに前記プリコーディングユニットによってマッピングされているとともに前記M個の空間的な送信層における前記第1の時間領域OFDM信号を重畳して送信するように構成される送信ユニットと、を含む、
装置。
【請求項８】
前記フィルタリングユニットは、
前記M個の空間的な送信層の各々における前記第1の時間領域OFDM信号を第1のサンプリングレートでフィルタリングするように構成され、
当該装置は、
前記M個の空間的な送信層の各々における前記フィルタリングされた第1の時間領域OFDM信号に第2のサンプリングレートでアップサンプリングを実行するように構成されるアップサンプリングユニットであって、前記第2のサンプリングレートは、前記第1のサンプリングレートよりも大きい、アップサンプリングユニットと、
アップサンプリングの後に得られるとともに前記M個の空間的な送信層の各々における前記第1の時間領域OFDM信号に前記第2のサンプリングレートでディジタル周波数変換を実行するように構成され、それによって、アップサンプリングの後に得られるとともに前記M個の空間的な送信層の各々における前記第1の時間領域OFDM信号の中心周波数は、前記第1の時間領域OFDM信号が属しているシステム広帯域に対応する周波数位置に位置する、ディジタル周波数変換ユニットと、をさらに含み、
前記プリコーディングユニットは、
ディジタル周波数変換の後に得られるとともに前記M個の空間的な送信層の各々における前記第1の時間領域OFDM信号に空間プリコーディングを実行するように構成される、請求項7に記載の装置。
【請求項９】
前記フィルタリングユニットは、さらに、N個の空間的な送信層の各々における第2の時間領域OFDM信号を第3のサンプリングレートでフィルタリングするように構成され、Nは、1以上の整数であり、
前記アップサンプリングユニットは、さらに、前記N個の空間的な送信層の各々における前記フィルタリングされた第2の時間領域OFDM信号に第4のサンプリングレートでアップサンプリングを実行するように構成され、前記第4のサンプリングレートは、前記第3のサンプリングレートよりも大きく、
前記ディジタル周波数変換ユニットは、さらに、アップサンプリングの後に得られるとともに前記N個の空間的な送信層の各々における前記第2の時間領域OFDM信号に前記第4のサンプリングレートでディジタル周波数変換を実行するように構成され、それによって、アップサンプリングの後に得られるとともに前記N個の空間的な送信層の各々における前記第2の時間領域OFDM信号の中心周波数は、前記第2の時間領域OFDM信号が属しているシステム広帯域に対応する周波数位置に位置し、
前記プリコーディングユニットは、ディジタル周波数変換の後に得られるとともに前記N個の空間的な送信層の各々における前記第2の時間領域OFDM信号に空間プリコーディングを実行し、そして、前記N個の空間的な送信層の各々における前記フィルタリングされた第2の時間領域OFDM信号を前記Nt個の送信アンテナポートの各々にマッピングする、ように構成され、
前記送信ユニットは、前記Nt個の送信アンテナポートのすべてにマッピングされているとともに前記M個の空間的な送信層における前記第1の時間領域OFDM信号及び前記N個の空間的な送信層における前記第2の時間領域OFDM信号を重畳して送信するように構成される、請求項8に記載の装置。
【請求項１０】
前記フィルタリングユニットは、さらに、前記Nt個の送信アンテナポートの各々に対応する第3の時間領域OFDM信号を第5のサンプリングレートでフィルタリングするように構成され、前記第5のサンプリングレートは、前記第1のサンプリングレート及び/又は前記第3のサンプリングレートよりも大きく、
前記送信ユニットは、
前記Nt個の送信アンテナポートのすべてにマッピングされているとともに前記M個の空間的な送信層における前記第1の時間領域OFDM信号、前記N個の空間的な送信層における前記第2の時間領域OFDM信号、及び前記フィルタリングされた第3の時間領域OFDM信号を重畳して送信するように構成される、請求項9に記載の装置。
【請求項１１】
前記プリコーディングユニットは、
第1のフィルタリング帯域幅において時間領域プリコーディングベクトルWiを使用することによって、前記M個の空間的な送信層のうちのi番目の空間的な送信層における前記フィルタリングされた第1の時間領域OFDM信号を前記Nt個の送信アンテナポートの各々に個別にマッピングするように構成され、i＝1,2,…,Mであり、iは、前記M個の空間的な送信層のインデックスを表す、請求項7又は8に記載の装置。
【請求項１２】
前記プリコーディングユニットは、
第2のフィルタリング帯域幅において時間領域プリコーディングベクトルWjを使用することによって、前記N個の空間的な送信層のうちのj番目の空間的な送信層における前記フィルタリングされた第2の時間領域OFDM信号を前記Nt個の送信アンテナポートの各々に個別にマッピングするように構成され、j＝1,2,…,Nであり、jは、前記N個の空間的な送信層のインデックスを表す、請求項9に記載の装置。
【請求項１３】
コンピュータプログラムを格納するように構成されるコンピュータ読み取り可能な媒体であって、前記コンピュータプログラムは、請求項1乃至6のうちのいずれか1項に記載の方法を実行するのに使用される命令を含む、コンピュータ読み取り可能な媒体。
【請求項１４】
コンピュータ実行可能な命令を含むコンピュータプログラムであって、前記コンピュータ実行可能な命令が信号送信装置のプロセッサで実行されると、前記コンピュータ実行可能な命令は、前記信号送信装置に請求項1乃至6のうちのいずれか1項に記載の方法を実行させる、コンピュータプログラム。
【手続補正２】
【補正対象書類名】明細書
【補正対象項目名】全文
【補正方法】変更
【補正の内容】
【発明の詳細な説明】
【技術分野】
【０００１】
［関連出願への相互参照］
この出願は、2016年8月1日付で中国特許庁に出願された"信号送信方法及び装置"と題する中国特許出願番号第201610624580.0号に基づく優先権を主張し、その内容は、参照により全体が本明細書に取り込まれる。
【０００２】
［技術分野］
この出願の複数の実施形態は、通信分野に関し、具体的には、信号送信方法及び装置に関する。
【背景技術】
【０００３】
フィルタリング直交周波数分割多重化(filtered-orthogonal  frequency  division  multiplexing,  F-OFDM)は、サブバンドフィルタリングベースのOFDMである。F-OFDM波形技術においては、スペクトラムは、複数のサブバンドに分割され、そして、複数の異なるサブバンドのパラメータ(numerology)は、同じであってもよく、或いは、異なっていてもよい。サブバンドのパラメータは、サブキャリア帯域幅、送信時間間隔(Transmission  Time  Interval,  TTI)長さ、シンボル長、シンボル数、及びサイクリックプレフィックス(cyclic  prefix,  CP)長さ等のパラメータのうちの少なくとも1つを含む。サブバンドのそれらのパラメータは、あらかじめ構成されていてもよく、或いは、サービスの負荷に基づいて柔軟に適応されてもよい。サービスの複数の異なるタイプについて複数の異なるサブバンドを使用してもよい。例えば、従来の音声/ビデオ、モノのインターネット(internet  of  things,  IOT)、車両のリアルタイムインターネット、及びマルチメディアブロードキャストマルチキャストサービス(multimedia  broadcast  multicast  service,  MBMS)は、それぞれ、複数の異なるサブバンドの中に分散されている。その後、各々のサブバンドは、フィルタリングされ、例えば、高次ディジタル成形フィルタが、フィルタリングのために使用される。そのフィルタリングされたサブバンドは、良好な帯域外パフォーマンスを有して、各々のサブバンドの分離を実装する。したがって、従来のOFDM波形が互換性を有する場合には、実際のサービスシナリオに基づいて、複数のサブバンドのために、異なるパラメータを構成してもよい。
【０００４】
より高次のフィルタは、より良好な帯域外特徴を示すが、一方で、より高い実装の複雑度を示す。したがって、低い複雑度のフィルタ設計は、F-OFDMの適用における核心的な問題となっている。一方で、多入力多出力(multiple-input  multiple-output,  MIMO)技術は、無線通信システムにおける最も基本的な技術のうちの1つであり、そのMIMO技術と組み合わせて、F-OFDMを含むいずれかの新たな技術を使用する必要がある。MIMOシステムにF-OFDMを適用する場合には、従来の技術によって、各々のアンテナポートにおける時間領域信号をフィルタリングする必要がある。したがって、ある1つのサブバンドについて、送信機のフィルタリング動作の合計数は、1つのアンテナポートにおけるフィルタリング動作の数を送信アンテナの合計数で乗算することによって得られる積に等しく、フィルタリングの複雑度は、比較的高い。
【発明の概要】
【０００５】
この出願の複数の実施形態は、信号送信方法及び装置を提供して、フィルタリングの複雑度を低減する。
【０００６】
第1の態様によれば、信号送信方法が提供され、当該方法は、M個の空間的な送信層の各々における第1の時間領域OFDM信号をフィルタリングするステップであって、Mは、1以上の整数である、ステップと、前記M個の空間的な送信層の各々における前記フィルタリングされた第1の時間領域OFDM信号に空間プリコーディングを実行し、そして、前記M個の空間的な送信層の各々における前記フィルタリングされた第1の時間領域OFDM信号をNt個の送信アンテナポートの各々にマッピングするステップであって、Ntは、M以上の整数である、ステップと、前記Nt個の送信アンテナポートのすべてにマッピングされているとともに前記M個の空間的な送信層における前記第1の時間領域OFDM信号を重畳して送信するステップと、を含む。
【０００７】
この出願のこの実施形態における信号送信方法によれば、従来技術における空間プリコーディング及びフィルタリング動作を実行する順序を調整する、すなわち、M個の空間的な送信層の各々における(例えば、第1の時間領域OFDM信号等の)時間領域OFDM信号にフィルタリング動作を最初に実行し、次に、空間プリコーディングを実行し、そして、送信のために、その空間的な送信層におけるそのフィルタリングされた時間領域OFDM信号を各々の送信アンテナポートにマッピングする。この方法においては、フィルタリング動作の数は、送信アンテナポートの数ではなく空間的な送信層の数に正比例する。空間的な送信層の数は、MIMOシステムにおける送信アンテナポートの数以下であるので、この出願のこの実施形態による信号送信方法によれば、信号送信の間のフィルタリングの複雑度を低減することが可能である。
【０００８】
1つの可能な実装において、M個の空間的な送信層の各々における第1の時間領域OFDM信号をフィルタリングする前記ステップは、前記M個の空間的な送信層の各々における前記第1の時間領域OFDM信号を第1のサンプリングレートでフィルタリングするステップを含み、前記M個の空間的な送信層の各々における前記フィルタリングされた第1のOFDM信号に空間プリコーディングを実行する前記ステップの前に、当該方法は、前記M個の空間的な送信層の各々における前記フィルタリングされた第1の時間領域OFDM信号に第2のサンプリングレートでアップサンプリングを実行するステップであって、前記第2のサンプリングレートは、前記第1のサンプリングレートよりも大きい、ステップと、アップサンプリングの後に得られるとともに前記M個の空間的な送信層の各々における前記第1の時間領域OFDM信号に前記第2のサンプリングレートでディジタル周波数変換を実行し、それによって、アップサンプリングの後に得られるとともに前記M個の空間的な送信層の各々における前記第1の時間領域OFDM信号の中心周波数は、前記第1の時間領域OFDM信号が属しているシステム広帯域に対応する周波数位置に位置する、ステップと、をさらに含み、前記M個の空間的な送信層の各々における前記フィルタリングされた第1のOFDM信号に空間プリコーディングを実行する前記ステップは、ディジタル周波数変換の後に得られるとともに前記M個の空間的な送信層の各々における前記第1の時間領域OFDM信号に空間プリコーディングを実行するステップを含む。
【０００９】
ダウンリンク送信については、セグメントフィルタリング方法を使用することによって信号送信を実行してもよい。第1の時間領域OFDM信号は、広帯域OFDM信号のサイドバンド信号であってもよい。そのサイドバンド信号は、端部に位置しており、高次のディジタル成形フィルタリングによってフィルタリングする必要があり、その結果、極めて狭い遷移帯域を取得し、それにより、良好な帯域外パフォーマンスを実装する。したがって、高いフィルタリング複雑度の問題が依然として存在する。これに対して、この出願のこの実施形態においては、M個の空間的な送信層の各々における(例えば、第1の時間領域OFDM信号等の)時間領域OFDM信号にフィルタリング動作を最初に実行し、次に、空間プリコーディングを実行し、そして、送信のために、その空間的な送信層におけるそのフィルタリングされた時間領域OFDM信号を各々の送信アンテナポートにマッピングする。この方法においては、フィルタリング動作の数は、送信アンテナポートの数ではなく空間的な送信層の数に正比例する。空間的な送信層の数は、MIMOシステムにおける送信アンテナポートの数以下であるので、この出願のこの実施形態による信号送信方法によれば、信号送信の間のフィルタリングの複雑度を低減することが可能である。
【００１０】
1つの可能な実装において、当該方法は、N個の空間的な送信層の各々における第2の時間領域OFDM信号を第3のサンプリングレートでフィルタリングするステップであって、Nは、1以上の整数である、ステップと、前記N個の空間的な送信層の各々における前記フィルタリングされた第2の時間領域OFDM信号に第4のサンプリングレートでアップサンプリングを実行するステップであって、前記第4のサンプリングレートは、前記第3のサンプリングレートよりも大きい、ステップと、アップサンプリングの後に得られるとともに前記N個の空間的な送信層の各々における前記第2の時間領域OFDM信号に前記第4のサンプリングレートでディジタル周波数変換を実行し、それによって、アップサンプリングの後に得られるとともに前記N個の空間的な送信層の各々における前記第2の時間領域OFDM信号の中心周波数は、前記第2の時間領域OFDM信号が属しているシステム広帯域に対応する周波数位置に位置する、ステップと、ディジタル周波数変換の後に得られるとともに前記N個の空間的な送信層の各々における前記第2の時間領域OFDM信号に空間プリコーディングを実行し、そして、前記N個の空間的な送信層の各々における前記フィルタリングされた第2の時間領域OFDM信号を前記Nt個の送信アンテナポートにマッピングするステップと、をさらに含み、前記Nt個の送信アンテナポートのすべてにマッピングされているとともに前記M個の空間的な送信層における前記第1の時間領域OFDM信号を重畳して送信する前記ステップは、前記Nt個の送信アンテナポートのすべてにマッピングされているとともに前記M個の空間的な送信層における前記第1の時間領域OFDM信号及び前記N個の空間的な送信層における前記第2の時間領域OFDM信号を重畳して送信するステップを含む。
【００１１】
1つの可能な実装において、当該方法は、前記Nt個の送信アンテナポートの各々に対応する第3の時間領域OFDM信号を第5のサンプリングレートでフィルタリングするステップをさらに含み、前記第5のサンプリングレートは、前記第1のサンプリングレート及び/又は前記第3のサンプリングレートよりも大きく、前記Nt個の送信アンテナポートのすべてにマッピングされているとともに前記M個の空間的な送信層における前記第1の時間領域OFDM信号を重畳して送信する前記ステップは、前記Nt個の送信アンテナポートのすべてにマッピングされているとともに前記M個の空間的な送信層における前記第1の時間領域OFDM信号、前記N個の空間的な送信層における前記第2の時間領域OFDM信号、及び前記フィルタリングされた第3の時間領域OFDM信号を重畳して送信するステップを含む。
【００１２】
1つの可能な実装において、前記M個の空間的な送信層の各々における前記フィルタリングされた第1の時間領域OFDM信号に空間プリコーディングを実行し、そして、前記M個の空間的な送信層の各々における前記フィルタリングされた第1の時間領域OFDM信号をNt個の送信アンテナポートにマッピングする前記ステップは、第1のフィルタリング帯域幅において時間領域プリコーディングベクトルWiを使用することによって、前記M個の空間的な送信層のうちのi番目の空間的な送信層における前記フィルタリングされた第1の時間領域OFDM信号を前記Nt個の送信アンテナポートに個別にマッピングするステップを含み、i＝1,2,…,Mであり、iは、前記M個の空間的な送信層のインデックスを表す。
【００１３】
1つの可能な実装において、ディジタル周波数変換の後に得られるとともに前記N個の空間的な送信層の各々における前記第2の時間領域OFDM信号に空間プリコーディングを実行し、そして、前記N個の空間的な送信層の各々における前記フィルタリングされた第2の時間領域OFDM信号を前記Nt個の送信アンテナポートにマッピングする前記ステップは、第2のフィルタリング帯域幅において時間領域プリコーディングベクトルWjを使用することによって、前記N個の空間的な送信層のうちのj番目の空間的な送信層における前記フィルタリングされた第2の時間領域OFDM信号を前記Nt個の送信アンテナポートに個別にマッピングするステップを含み、j＝1,2,…,Nであり、jは、前記N個の空間的な送信層のインデックスを表す。
【００１４】
1つの可能な実装において、前記M個の空間的な送信層の各々における前記第1の時間領域OFDM信号をフィルタリングする場合に、当該方法は、前記M個の空間的な送信層の各々における前記第1の時間領域OFDM信号に時間領域フィルタリング又は周波数領域フィルタリングを実行するステップを含む。
【００１５】
第2の態様によれば、第1の態様又は第1の態様の複数の可能な実装のうちのいずれか1つにしたがった方法を実行するように構成されるユニットを含む信号送信装置が提供される。
【００１６】
第3の態様によれば、プロセッサとトランシーバーとメモリとを含む信号送信装置が提供される。そのメモリは、命令を格納するように構成され、そのプロセッサは、そのメモリに格納されている命令を実行して、信号を受信し及び/又は送信するようにそのトランシーバーを制御するように構成される。そのプロセッサが、そのメモリに格納されている命令を実行すると、そのプロセッサは、第1の態様又は第1の態様の複数の可能な実装のうちのいずれか1つにしたがった方法を実行するように構成される。
【００１７】
第4の態様によれば、コンピュータプログラムを格納するように構成されるコンピュータ読み取り可能な媒体が提供され、そのコンピュータプログラムは、第1の態様又は第1の態様の複数の可能な実装のうちのいずれか1つにしたがった方法を実行するのに使用される命令を含む。
【図面の簡単な説明】
【００１８】
【図１】この出願のある1つの実施形態に適用可能な信号送信方法の適用シナリオの概略的な図である。
【図２】この出願のある1つの実施形態にしたがった信号送信方法の概略的なフローチャートである。
【図３】この出願のある1つの実施形態にしたがった信号送信方法の概略的なブロック図である。
【図４】セグメントフィルタリングの間に周波数領域信号を分割する概略的な図である。
【図５】セグメントフィルタリングに基づく信号送信方法の概略的なブロック図である。
【図６】セグメントフィルタリングに基づく信号受信方法の概略的なブロック図である。
【図７Ａ】この出願のある1つの実施形態にしたがった信号送信方法の概略的なブロック図である。
【図７Ｂ】この出願のある1つの実施形態にしたがった信号送信方法の概略的なブロック図である。
【図８Ａ】この出願のある1つの実施形態にしたがった信号送信方法の概略的なブロック図である。
【図８Ｂ】この出願のある1つの実施形態にしたがった信号送信方法の概略的なブロック図である。
【図９】この出願のある1つの実施形態にしたがった信号送信装置の概略的なブロック図である。
【図１０】この出願のある1つの実施形態にしたがった信号送信装置の概略的な構成図である。
【発明を実施するための形態】
【００１９】
以下の記載は、この出願の複数の実施形態における複数の添付の図面を参照して、この出願のそれらの複数の実施形態による複数の技術的解決方法を詳細に説明する。
【００２０】
例えば、汎欧州ディジタル移動体通信システム(Global  System  for  Mobile  Communications,  GSM)、符号分割多元接続(code  division  multiple  access,  CDMA)システム、広帯域符号分割多元接続(wideband  code  division  multiple  access  wireless,  WCDMA)システム、汎用パケット無線サービス(general  packet  radio  service,  GPRS)システム、LTEシステム、ユニバーサル移動体通信システム(universal  mobile  telecommunications  system, UMTS)、及び将来的な5G通信システム等の無線セルラーネットワークの中のさまざまな通信システムに、この出願の複数の実施形態による複数の技術的解決方法を適用してもよい。このことは、この出願の複数の実施形態の中では制限されない。
【００２１】
図1は、この出願のある1つの実施形態に適用可能な信号送信方法に関する通信システムを示している。図1に示されているように、この出願のこの実施形態に適用される通信システムは、ネットワークデバイス101、端末デバイス102、及び端末デバイス103を含む。送信機がネットワークデバイス101の一部となっている場合には、受信機は、端末デバイス102の一部となっているか又は端末デバイス103の一部となっている。代替的に、送信機が端末デバイス102の一部或いは端末デバイス103の一部となっている場合には、受信機は、ネットワークデバイス101の一部となっている。
【００２２】
(例えば、端末デバイス102又は端末デバイス103等の)端末デバイスは、無線アクセスネットワーク(radio  access  network,  RAN)を使用することによって、1つ又は複数のコアネットワークとの間で通信してもよい。その端末デバイスは、ユーザ機器(user  equipment,  UE)、アクセス端末、加入者ユニット、加入者局、移動局、移動コンソール、リモート局、リモート端末、移動デバイス、ユーザ端末、端末、無線通信デバイス、ユーザエージェント、又はユーザ装置であってもよい。アクセス端末は、セルラーフォン、コードレスフォン、セッション開始プロトコル(session  initiation  protocol,  SIP)フォン、無線ローカルループ(wireless  local  loop,  WLL)局、パーソナルディジタルアシスタント(personal  digital  assistant,  PDA)、無線通信機能を有するハンドヘルドデバイス、コンピューティングデバイス、無線モデムに接続されている他の処理デバイス、車載型デバイス、ウェアラブルデバイス、又は将来的な5Gネットワークにおける端末デバイス等であってもよい。
【００２３】
(例えば、ネットワークデバイス101等の)ネットワークデバイスは、端末デバイスとの間で通信するように構成されるデバイスであってもよい。例えば、ネットワークデバイスは、GSMシステム又はCDMAシステムにおける基地局装置(base  transceiver  station,  BTS)であってもよく、WCDMAシステムにおけるNodeB(nodeB,  NB)であってもよく、又は、LTEシステムにおける進化型NodeB(evolved  NodeB,  eNB或いはeNodeB)であってもよく、或いは、ネットワークデバイスは、中継局、アクセスポイント、車載型デバイス、ウェアラブルデバイス、将来的な5Gネットワークにおけるネットワーク側デバイス、又は、将来的な進化型PLMNネットワークにおけるネットワークデバイスであってもよい。
【００２４】
この出願のこの実施形態による信号送信方法をMIMOシステムに適用してもよい。そのMIMOシステムにおいて、F-OFDM波形技術を使用してもよい。そのF-OFDM波形技術においては、システム帯域幅は、複数のサブバンドに分割される。次に、各々のサブバンドをフィルタリングする。フィルタリングのために、高次のディジタル成形フィルタを使用してもよい。各々のサブバンドをフィルタリングする際に、ある1つの方法によれば、各々の送信アンテナポートにおけるベースバンド信号に線形フィルタリング動作を実行する。しかしながら、この方式においては、フィルタリング動作の複雑度は、アンテナポートの数に正比例する。システム帯域幅の中にサブバンドが1つのみ存在する、言い換えると、k＝1である場合には、送信機が要求するフィルタの数は、Nt(Ntは、送信アンテナポートの数である)となり、受信機が要求するフィルタの数は、Nr(Nrは、受信アンテナポートの数である)となる。全体的なシステム帯域幅の中にk個のサブバンドが存在する場合には、フィルタの合計数は、k×Ntとなる。したがって、MIMOシステムの中でF-OFDMを使用する場合には、少なくとも1つのフィルタが各々のアンテナにおいて使用され、その結果、全体的なシステムの複雑度は大幅に増加する。特に、端末のアップリンク送信の場合には、高複雑度のMIMOアプリケーションは、端末のコスト及びエネルギーの節約に関して重大な課題をもたらす。
【００２５】
比較的高いフィルタリングの複雑度の問題を解決するために、この出願の1つの実施形態は、信号送信方法を提供する。
【００２６】
図2は、この出願の1つの実施形態にしたがった信号送信方法を示す。図2に示されている方法は、送信機によって実行されてもよい。
【００２７】
210.  M個の空間的な送信層の各々における第1の時間領域OFDM信号をフィルタリングし、Mは、1以上の整数である。
【００２８】
本明細書においては、第1の時間領域OFDM信号は、シリアル−パラレル変換の動作の後に生成される信号であってもよく、スクランブリング、変調、層マッピング、逆高速フーリェ変換(inverse  fast  fourier  transformation,  IFFT)、及びサイクリックプレフィックス(cyclic  prefix,  CP)の追加は、元の送信コードワードに対して順に実行される。具体的には、シリアル−パラレル変換、スクランブリング、変調、層マッピング、IFFT、及びCPの追加の動作については、従来技術を参照するべきである。簡潔さのために、本明細書においては、詳細は説明されない。
【００２９】
本明細書においては、高次のディジタル成形フィルタを使用することによって、第1の時間領域OFDM信号をフィルタリングしてもよい。
【００３０】
フィルタリング次数の値に応じて、ディジタル成形フィルタを高次のディジタル成形フィルタ及び低次のディジタル成形フィルタに分類することが可能である。高次のディジタル成形フィルタのフィルタリング次数は、相対的に大きくなるように設定されて、その高次のディジタル成形フィルタを通過する信号が、極めて狭い遷移帯域を有するということを保証し、それにより、良好な帯域外パフォーマンスを実装する。低次のディジタル成形フィルタのフィルタリング次数は、相対的に小さくなるように設定される。具体的には、ディジタル成形フィルタのフィルタリング次数が高くなるほど、フィルタリングされた信号の遷移帯域は狭くなる。
【００３１】
選択的に、この出願のこの実施形態においては、M個の空間的な送信層の各々における第1の時間領域OFDM信号をフィルタリングする際に、それらのM個の空間的な送信層の各々における第1の時間領域OFDM信号に時間領域フィルタリング又は周波数領域フィルタリングを実行することが可能である。言い換えると、この出願のこの実施形態におけるフィルタリング動作は、時間領域において実行されてもよく、或いは、周波数領域において実行されてもよい。このことは、この出願のこの実施形態においては制限されない。高次のディジタル成形フィルタを使用することによって実装される高次のディジタル成形フィルタリングは、時間領域フィルタリングである。
【００３２】
220.  M個の空間的な送信層の各々におけるフィルタリングされた第1の時間領域OFDM信号に空間プリコーディングを実行し、そして、M個の空間的な送信層の各々におけるフィルタリングされた第1の時間領域OFDM信号をNt個の送信アンテナポートの各々にマッピングする。
【００３３】
送信アンテナポートの数は、空間的な送信層の数以上となる。したがって、本明細書におけるNtは、M以上の整数である。
【００３４】
説明を容易にするために、以下の記載においては、フィルタリングされた第1の時間領域OFDM信号は、第1のF-OFDM信号と称されてもよい。
【００３５】
具体的には、第1の時間領域OFDM信号にフィルタリング処理を実行した後に、送信機は、各々の空間的な送信層における取得した第1のF-OFDM信号をその空間的な送信層に対応する空間プリコーディングベクトルWiで乗算する。その空間的な送信層における第1のF-OFDM信号は、各々のアンテナ送信ポートにマッピングされて、各々の送信アンテナポートにおけるデータを取得する。言い換えると、その送信アンテナポートにおけるデータは、各々の空間的な送信層における第1のF-OFDM信号をその送信アンテナポートにマッピングすることによって得られるデータを含んでいる。
【数１】
2019528606.tif 000023
であり、iは、M個の空間的な送信層のインデックスを表す。
【００３６】
この出願のこの実施形態においては、時間領域において空間プリコーディング動作を実行し、時間領域空間プリコーディングベクトルを使用することによって、空間的な送信層から送信アンテナポートへと第1のF-OFDM信号をマッピングするということに留意すべきである。一方で、従来のMIMOシステムにおいては、周波数領域において空間プリコーディング動作を実行し、周波数領域空間プリコーディングベクトルを使用することによって、空間的な送信層から送信アンテナポートへと第1のOFDM周波数領域データをマッピングし、そして、次に、空間プリコーディングの後に得られる時間領域データにフィルタリング動作を実行する。本明細書における空間プリコーディングベクトル
【数２】
2019528606.tif 000024
は、従来のMIMOにおける高いサンプリングレートでの周波数領域空間プリコーディングベクトルの時間領域表現形式である。これに対して、各々のアンテナポートにおいて最終的に生成される時間領域送信データについては、時間領域において実行される空間プリコーディング動作は、周波数領域において実行される空間プリコーディング動作と同等である。
【００３７】
230.  Nt個の送信アンテナポートのすべてにマッピングされているとともにM個の空間的な送信層における第1の時間領域OFDM信号を重畳して送信する。
【００３８】
具体的には、第1のF-OFDM信号に空間プリコーディング処理を実行した後に、すべての空間的な送信層における第1のF-OFDM信号を送信アンテナポートにマッピングすることによって得られるデータを重畳して送信する。
【００３９】
送信アンテナポートにおけるデータは、その送信アンテナポートに対応しているとともにM個の空間的な送信層における第1のF-OFDM信号よりも多くの信号を含んでもよいということを理解すべきである。言い換えると、その送信アンテナポートに対応しているとともにM個の空間的な送信層における第1のF-OFDM信号は、その送信アンテナポートにおけるデータの一部にすぎない場合があり、その送信アンテナポートにおけるデータは、他のデータをさらに含んでもよい。例えば、第1のF-OFDM信号がMIMOシステムでのあるサブバンドにおける信号であるにすぎない場合に、その送信アンテナポートにおけるデータは、そのMIMOシステムでの他のサブバンドにおけるデータをさらに含んでもよい。
【００４０】
この出願のこの実施形態における信号送信方法によれば、従来技術における空間プリコーディング及びフィルタリング動作を実行する順序を調整する、すなわち、M個の空間的な送信層の各々における(例えば、第1の時間領域OFDM信号等の)時間領域OFDM信号にフィルタリング動作を最初に実行し、次に、空間プリコーディングを実行し、そして、送信のために、その空間的な送信層におけるそのフィルタリングされた時間領域OFDM信号を各々の送信アンテナポートにマッピングする。この方法においては、フィルタリング動作の数は、送信アンテナポートの数ではなく空間的な送信層の数に正比例する。空間的な送信層の数は、MIMOシステムにおける送信アンテナポートの数以下であるので、この出願のこの実施形態による信号送信方法によれば、信号送信の間のフィルタリングの複雑度を低減することが可能である。
【００４１】
この出願のこの実施形態における時間領域OFDM信号送信方法を、アップリンクの端末側にあるマルチアンテナ送信機に適用してもよい。例えば、この出願のこの実施形態を、図1に示されている端末デバイス102又は端末デバイス103がネットワークデバイス101にデータを送信するシナリオに適用してもよい。
【００４２】
以下の記載は、図3を参照して、この出願のこの実施形態にしたがった信号送信方法を詳細に説明する。図3に示されている方法は、図1に示されている端末デバイス102の中の送信機によって実行されてもよい。
【００４３】
端末デバイス102がネットワークデバイス101にデータを送信する際に、その端末デバイス102の中の送信機は、最初に、元の送信コードワードに、シリアル−パラレル変換、スクランブリング、変調、及び層マッピングの動作を順次実行して、M個の空間的な送信層の各々における第1の周波数領域OFDM信号を生成してもよいということを理解すべきである。
【００４４】
M個の空間的な送信層の各々における第1の周波数領域OFDM信号を生成した後に、図3に示されているように、端末デバイス102の中の送信機は、M個の空間的な送信層の各々における第1の周波数領域OFDM信号に基づいて、第1の時間領域OFDM信号を生成してもよい。本明細書においては、端末デバイス102の中の送信機は、第1の周波数領域OFDM信号に、IFFT及びサイクリックプレフィックスCP追加の動作を順次実行して、第1の時間領域OFDM信号を生成してもよい。端末デバイス102の中の送信機は、M個の空間的な送信層の各々における第1の時間領域OFDM信号に、(例えば、高次のディジタル成形フィルタリング等の)フィルタリングを実行する。次に、端末デバイス102の中の送信機は、空間プリコーディングベクトルWiを使用することによって、フィルタリングされたF-OFDM信号に空間プリコーディングを実行し、そして、M個の空間的な送信層の各々におけるF-OFDM信号を送信アンテナポートにマッピングする。最後に、すべての送信アンテナポートにおけるデータは、重畳され、そして、対応する無線リモートユニット(radio  remote  unit,  RRU):RRU_1,  RRU_2,  …,  RRU_Ntに出力される。無線リモートユニットは、対応する送信アンテナを使用することによって、各々の送信アンテナポートにおけるデータを送信する。
【００４５】
送信機が送信したデータを受信した後に、(例えば、ネットワークデバイス101等の)受信端にある受信機は、従来技術を使用することによって処理を実行してもよい。例えば、その受信機は、各々の受信アンテナにおいて受信したデータに、フィルタリング、CP除去、離散高速フーリェ変換(fast  fourier  transformation,  FFT)、及びMIMO空間検出の動作を順次実行して、送信された第1の周波数領域OFDM信号を復元してもよい。受信したデータに受信機が実行する処理動作については、従来技術を参照するべきである。簡潔さのために、本明細書においては、詳細は説明されない。
【００４６】
したがって、最初に、第1の時間領域OFDM信号をフィルタリングし、そして、次に、空間プリコーディングを実行する。この手法においては、送信機が必要とする高次のディジタル成形フィルタの数は、Mとなる。従来技術において必要となるNt(Nt≧M)個の高次のディジタル成形フィルタと比較して、この出願のこの実施形態における信号送信方法によれば、使用することが必要となる高次のディジタル成形フィルタの数を低減することが可能である。
【００４７】
選択的に、ステップ210において、M個の空間的な送信層の各々における第1の時間領域OFDM信号をフィルタリングする際に、M個の空間的な送信層の各々における第1の時間領域OFDM信号を第1のサンプリングレートでフィルタリングしてもよい。ステップ220において、M個の空間的な送信層の各々におけるフィルタリングされた第1のOFDM信号に空間プリコーディングを実行する前に、当該方法は、M個の空間的な送信層の各々におけるフィルタリングされた第1の時間領域OFDM信号に第2のサンプリングレートでアップサンプリングを実行するステップであって、第2のサンプリングレートは、第1のサンプリングレートよりも大きい、ステップと、アップサンプリングの後に得られるとともにM個の空間的な送信層の各々における第1の時間領域OFDM信号に第2のサンプリングレートでディジタル周波数変換を実行し、それによって、アップサンプリングの後に得られるとともにM個の空間的な送信層の各々における第1の時間領域OFDM信号の中心周波数は、第1の時間領域OFDM信号が属しているシステム広帯域に対応する周波数位置に位置する、ステップと、をさらに含んでもよい。ステップ230において、M個の空間的な送信層の各々におけるフィルタリングされた第1のOFDM信号に空間プリコーディングを実行するステップは、ディジタル周波数変換の後に得られるとともにM個の空間的な送信層の各々における第1の時間領域OFDM信号に空間プリコーディングを実行するステップを含む。
【００４８】
具体的には、通信システムにおいては、ダウンリンクにおけるOFDM信号は、通常は、広帯域OFDM信号である。広帯域OFDM信号の送信プロセスにおいて、フィルタリングの複雑度を低減するために、セグメントフィルタリング方法を使用してもよい。図4に示されているように、周波数領域において、左サイドバンド信号、中間サブバンド信号、及び右サイドバンド信号を含む3つのサブバンド信号へと、1つのOFDM広帯域信号を分割する。左サイドバンド信号及び右サイドバンド信号は、端部に位置しており、高次のディジタル成形フィルタリングによってフィルタリングする必要があり、結果として、極めて狭い遷移帯域を取得し、それにより、良好な帯域外パフォーマンスを実装するということを図4から理解することが可能である。一方で、サイドバンドの帯域幅は比較的小さく、サンプリングレートは低いので、ディジタル成形フィルタリングの動作サンプリングレートを十分に低減することが可能であり、フィルタリングの実装は比較的単純となる。加えて、中間サブバンドについては、中間サブバンドの帯域幅は比較的広く、サンプリングレートは比較的高いが、中間サブバンドは中央位置に位置しているので、中間サブバンドの遷移帯域は、(例えば、左サイドバンド及び右サイドバンドをその遷移帯域の一部と考えることが可能であるといったように)極めて広い場合がある。したがって、極めて低い次数の成形フィルタリングによって、フィルタリングを実装することが可能であり、フィルタリングの実装は比較的単純となる。
【００４９】
図5は、セグメントフィルタリングに基づいて、OFDM信号を送信する概略的なブロック図である。
【００５０】
図5に示されているように、20[MHz]のOFDM帯域信号は、900[KHz]の左サイドバンド信号、18.2[MHz]の中間サブバンド信号、及び900[KHz]の右サイドバンド信号に分割される。1.92[Mbps]のサンプリングレートで、900[KHz]の左サイドバンド信号に128ポイントIFFT変換を実行して、時間領域信号を生成する。その時間領域信号にCPを追加して、信号A1を生成する。その信号A1に、高次の成形フィルタリングを実行して、信号A2を生成する。30.72[Mbps]のサンプリングレートで、その信号A2にアップサンプリングを実行して、信号A3を生成する。その信号A3にディジタルアップコンバージョン処理を実行して、信号A4を取得する。30.72[Mbps]のサンプリングレートで、18.2[MHz]の中間サブバンド信号に2048ポイントIFFT変換を実行して、時間領域信号を生成する。その時間領域信号にサイクリックプレフィックスを追加して、信号B1を生成する。その信号B1に低次の成形フィルタリングを実行して、信号B2を生成する。1.92[Mbps]のサンプリングレートで、900[KHz]の右サイドバンド信号に128ポイントIFFT変換を実行して、時間領域信号を生成する。その時間領域信号にサイクリックプレフィックスを追加して、信号C1を生成する。その信号C1に高次の成形フィルタリングを実行して、信号C2を生成する。30.72[Mbps]のサンプリングレートで、その信号C2にアップサンプリングを実行して、信号C3を生成する。その信号C3にディジタルアップコンバージョン処理を実行して、信号C4を取得する。信号A4、信号B2、及び信号C4を重畳して、信号Dを形成し、重畳の後に得られるその信号Dを、OFDM信号のF-OFDM信号として使用する。
【００５１】
対応して、信号送信の逆処理プロセスにおいては、帯域幅が20[MHz]であるフィルタリングされたF-OFDM信号を受信した場合には、帯域幅が20[MHz]であるその受信したF-OFDM信号にディジタル周波数変換処理を実行する図6に示されているプロセスを実行して、左サイドバンド信号A5を取得する。1.92[Mbps]のサンプリングレートで、その信号A5にダウンサンプリングを実行して、信号A6を生成する。上記の送信プロセスにおいて、左サイドバンド信号をフィルタリングする際に使用する高次のディジタル成形フィルタリングによって、その信号A6をフィルタリングして、信号A7を生成する。その信号A7にCP除去及び128ポイントFFT変換を実行して、900[KHz]の左サイドバンド信号を復元する。上記の送信プロセスにおいて、18.2[MHz]の中間サブバンド信号をフィルタリングする際に使用する低次の成形フィルタリングによって、帯域幅が20[MHz]であるその受信したF-OFDM信号を直接的にフィルタリングして、信号B3を生成する。その信号B3に、サイクリックプレフィックス除去及び2048ポイントFFT変換を実行して、18.2[MHz]の中間サブバンド信号を復元する。帯域幅が20[MHz]であるその受信したF-OFDM信号に、ディジタル周波数変換処理を実行して、右サイドバンド信号C5を取得する。1.92[Mbps]のサンプリングレートで、その信号C5にダウンサンプリングを実行して、信号C6を生成する。上記の送信プロセスにおいて右サイドバンド信号をフィルタリングする際に使用する高次の成形フィルタリングによって、その信号C6をフィルタリングして、信号C7を生成する。その信号C7にサイクリックプレフィックス除去及び128ポイントFFT変換を実行して、900[KHz]の右サイドバンド信号を復元する。
【００５２】
図4、図5、及び図6を参照すると、セグメントフィルタリングベースの方法をMIMOシステムに適用する場合に、広帯域信号の中間サブバンドについては、低次のディジタル成形フィルタが、その中間サブバンドにおいて使用され、したがって、フィルタリング動作の複雑度は、高くはないということを理解することが可能である。一方で、高次のディジタル成形フィルタが、広帯域信号の左サイドバンド及び右サイドバンドにおいて使用される。送信アンテナの数が比較的大きい場合に、各々の送信アンテナにおける左サイドバンド及び右サイドバンドでの処理は、中間サブバンドでの処理よりも多くの処理リソースを消費する。したがって、上記のセグメントフィルタリング方法をMIMOシステムに適用する場合には、左サイドバンド及び右サイドバンドにおけるフィルタリング動作は、複雑さをもたらす。セグメントフィルタリング動作は、各々の送信アンテナポートにおいて実行されるため、そのことは、フィルタリング動作の数が、依然として、送信機の送信アンテナポートの数に正比例し、フィルタリングの複雑度が比較的高いということを意味する。
【００５３】
この出願のこの実施形態においては、具体的には、第1の時間領域OFDM信号は、広帯域OFDM信号のサブバンド信号であってもよい。さらに、第1の時間領域OFDM信号は、広帯域OFDM信号のサイドバンド信号であってもよく、例えば、図5に示されている信号A1又は信号C1であってもよい。この場合には、M個の空間的な送信層の各々における第1の時間領域OFDM信号をフィルタリングする際には、M個の空間的な送信層の各々における第1の時間領域OFDM信号を第1のサンプリングレートでフィルタリングしてもよい。M個の空間的な送信層の各々におけるそのフィルタリングされた第1の時間領域OFDM信号に、第2のサンプリングレートでアップサンプリングを実行する。次に、アップサンプリングの後に得られるとともにM個の空間的な送信層の各々における第1の時間領域OFDM信号に第2のサンプリングレートでディジタル周波数変換を実行し、それによって、アップサンプリングの後に得られるとともにM個の空間的な送信層の各々における第1の時間領域OFDM信号の中心周波数は、広帯域時間領域OFDM信号に対応する周波数位置に位置する。最後に、ディジタル周波数変換の後に得られるとともにM個の空間的な送信層の各々における第1の時間領域OFDM信号に空間プリコーディングを実行する。言い換えると、M個の空間的な送信層の各々における(例えば、第1の時間領域OFDM信号等の)時間領域OFDM信号にフィルタリング動作を最初に実行し、次に、アップサンプリング、ディジタル周波数変換、及び空間プリコーディングの動作を実行して、送信のために、ディジタル周波数変換の後に得られる時間領域OFDM信号を各々の送信アンテナポートにマッピングする。この方法においては、フィルタリング動作の数は、送信アンテナポートの数ではなく空間的な送信層の数に正比例する。空間的な送信層の数は、MIMOシステムにおける送信アンテナポートの数以下であるので、この出願のこの実施形態による信号送信方法によれば、信号送信の間のフィルタリングの複雑度を低減することが可能である。
【００５４】
この出願のこの実施形態においては、第1の時間領域OFDM信号は、少なくとも1つのサブキャリアを含んでもよい。さらに、第1の時間領域OFDM信号は、広帯域OFDM信号の左側又は右側に複数のサブキャリアを含んでもよい。
【００５５】
第1のサンプリングレートは、第1の時間領域OFDM信号の単一のサンプリングレートであってもよい。第1の時間領域OFDM信号の単一のサンプリングレートは、2n×(サブキャリアの帯域幅)であり、2nは、第1の時間領域OFDM信号に含まれるサブキャリアの数に最も近く、nは、1以上の整数である。例えば、第1の時間領域OFDM信号の帯域幅が900[KHz]であり、各々のサブキャリアの帯域幅が15[KHz]である場合に、第1の時間領域OFDM信号は、60個のサブキャリアを含み、60に最も近い2nは、128であり、第1のサンプリングレートは、128×15＝1920[kbps]＝1.92[Mbps]となる。
【００５６】
本明細書においては、アップサンプリングは、フィルタリングされた第1の時間領域OFDM信号がサンプリングされ、そのサンプリングされた信号のサンプリングレートが、フィルタリングされた信号のサンプリングレートよりも大きいということを意味する。アンテナポートに最終的にマッピングされる信号の単一のサンプリングレートは、広帯域OFDM信号の単一のサンプリングレートと同じである。
【００５７】
本明細書においては、ディジタル周波数変換は、アップサンプリングの後に得られる信号にスペクトラム移動を実行して、広帯域OFDM信号に対応するスペクトラム位置へと信号を移動させるということを意味する。
【００５８】
選択的に、M個の空間的な送信層の各々におけるフィルタリングされた第1の時間領域OFDM信号に空間プリコーディングを実行し、そして、M個の空間的な送信層の各々におけるフィルタリングされた第1の時間領域OFDM信号をNt個の送信アンテナポートにマッピングする場合に、M個の空間的な送信層のうちのi番目の空間的な送信層におけるフィルタリングされた第1の時間領域OFDM信号は、第1のフィルタリング帯域幅において時間領域プリコーディングベクトルWiを使用することによって、Nt個の送信アンテナポートに個別にマッピングされてもよく、i＝1,2,…,Mであり、iは、M個の空間的な送信層のインデックスを表す。
【００５９】
具体的には、M個の空間的な送信層の各々における第1の時間領域OFDM信号は、第1のフィルタリング帯域幅の全体を占有する。加えて、その第1のフィルタリング帯域幅において、同じ空間プリコーディングベクトルは、その空間的な送信層における第1の時間領域OFDM信号にプリコーディングを実行するのに使用される。
【００６０】
以下の記載では、第1の時間領域OFDM信号が、20[MHz]のOFDM帯域幅信号の中で帯域幅が900[KHz]であるサブバンド信号となっている1つの例を使用して、この出願のこの実施形態における信号送信方法を詳細に説明する。説明を容易にするために、本明細書にいう第1の時間領域OFDM信号は、第1のサブバンド信号と称されてもよい。加えて、20[MHz]のOFDM帯域幅信号は、帯域幅が900[KHz]である第2のサブバンド信号及び帯域幅が18.2[MHz]である第3の帯域幅信号をさらに含んでもよい。
【００６１】
図7A及び図7Bに示されているように、第1のサブバンドについて、(例えば、ネットワークデバイス101等の)ネットワークデバイスの送信機は、最初に、第1のサブバンドの(図7A及び図7Bにおいて"層"と称される)各々の空間的な送信層におけるOFDM周波数領域信号に基づいて、その空間的な送信層に対応する時間領域OFDM信号を生成する。M個の空間的な送信層の各々における時間領域OFDM信号に、(第1のサンプリングレートの1つの例である)1.92[Mbps]のサンプリングレートで、(例えば、高次のディジタル成形フィルタリング等の)フィルタリングを実行する。次に、M個の空間的な送信層の各々におけるフィルタリングされた時間領域OFDM信号に、(第2のサンプリングレートの1つの例である)30.72[Mbps]のサンプリングレートで、アップサンプリングを実行し、そして、そのサンプリングされた時間領域OFDM信号にディジタル周波数変換を実行する。最後に、プリコーディングベクトル
【数３】
2019528606.tif 000025
を使用することによって、ディジタル周波数変換の後に得られるとともにM個の空間的な送信層の各々における時間領域OFDM信号に空間プリコーディングを実行し、そして、ディジタル周波数変換の後に得られるとともにM個の空間的な送信層の各々における時間領域OFDM信号を各々の送信アンテナポートにマッピングする。
【００６２】
900[KHz]の第2のサブバンドについては、ネットワークデバイスの送信機は、最初に、各々のアンテナポートにおける周波数領域OFDM信号に基づいて、そのアンテナポートに対応する時間領域OFDM信号を生成し、そして、次に、各々のアンテナポートにおけるその時間領域OFDM信号に(例えば、高次のディジタル成形フィルタリング等の)フィルタリングを実行する。18.2[MHz]の第3のサブバンドについては、ネットワークデバイスの送信機は、最初に、各々のアンテナポートにおける周波数領域OFDM信号に基づいて、そのアンテナポートに対応する時間領域OFDM信号を生成し、そして、次に、各々のアンテナポートにおけるその時間領域OFDM信号に(例えば、低次のフィルタリング等の)フィルタリングを実行する。最後に、複数の送信アンテナポートにおけるデータを重畳した後に、完全な広帯域信号が形成され、対応するRRUに出力され、そして、そのRRUは、対応する送信アンテナを使用することによって、各々の送信アンテナポートにおけるデータを送信する。
【００６３】
周波数領域信号からの時間領域信号の生成については、図5を参照するべきである。簡潔さのために、本明細書においては、詳細は繰り返しては説明されない。
【００６４】
第2のサンプリングレートは、第2のサブバンド信号の単一のサンプリングレートであってもよい。第2のサブバンド信号の単一のサンプリングレートは、2n×(サブキャリアの帯域幅)であり、2nは、第2のサブバンド信号に含まれるサブキャリアの数に最も近く、nは、1以上の整数である。例えば、第2のサブバンド信号の帯域幅が18.2[MHz]であり、各々のサブキャリアの帯域幅が15[KHz]である場合に、第2のサブバンド信号は、1213個のサブキャリアを含み、60に最も近い2nは、2048であり、第2のサンプリングレートは、2048×15＝30720[kbps]＝30.72[Mbps]となる。
【００６５】
本明細書におけるプリコーディングベクトル
【数４】
2019528606.tif 000026
は、アップサンプリングの動作の後に得られるプリコーディングベクトルであり、プリコーディングベクトル
【数５】
2019528606.tif 000027
に基づいて、スペクトラム移動が実行されるということをさらに理解すべきである。
【００６６】
アンテナポートにおけるデータを重畳する場合には、それらの重畳される第1のサブバンド信号、第2のサブバンド信号、及び第3のサブバンド信号は、時間的に厳密に同期させられているということを保証する必要があるということに留意すべきである。
【００６７】
上記の第1のサブバンド信号は、20[MHz]のOFDM帯域幅信号の左側に複数のサブキャリアを含んでもよく、第2のサブバンド信号は、その右側に複数のサブキャリアを含んでもよく、第3のサブバンド信号として残りのサブキャリアを使用してもよいということを理解すべきである。
【００６８】
この出願のこの実施形態においては、最初に、第1のサブバンド信号に、フィルタリング、アップサンプリング、及びディジタル周波数変換の動作を実行し、次に、ディジタル周波数変換の後に得られる第1のサブバンド信号に、プリコーディングを実行し、そして、各々の送信アンテナポートにその信号をマッピングし、それによって、第1のサブバンド信号に対するフィルタリング動作の数は、送信アンテナポートの数ではなく、空間的な送信層の数に正比例する。空間的な送信層の数は、MIMOシステムにおける送信アンテナポートの数以下であるので、この出願のこの実施形態による時間領域OFDM信号送信方法によれば、信号送信の間のフィルタリングの複雑度を低減することが可能である。
【００６９】
選択的に、当該方法は、N個の空間的な送信層の各々における第2の時間領域OFDM信号を第3のサンプリングレートでフィルタリングするステップであって、Nは、1以上の整数である、ステップと、N個の空間的な送信層の各々におけるフィルタリングされた第2の時間領域OFDM信号に第4のサンプリングレートでアップサンプリングを実行するステップであって、第4のサンプリングレートは、第3のサンプリングレートよりも大きい、ステップと、アップサンプリングの後に得られるとともにN個の空間的な送信層の各々における第2の時間領域OFDM信号に第4のサンプリングレートでディジタル周波数変換を実行し、それによって、アップサンプリングの後に得られるとともにN個の空間的な送信層の各々における第2の時間領域OFDM信号の中心周波数は、第2の時間領域OFDM信号が属しているシステム広帯域に対応する周波数位置に位置する、ステップと、ディジタル周波数変換の後に得られるとともにN個の空間的な送信層の各々における第2の時間領域OFDM信号に空間プリコーディングを実行し、そして、N個の空間的な送信層の各々におけるフィルタリングされた第2の時間領域OFDM信号をNt個の送信アンテナポートにマッピングするステップと、をさらに含んでもよく、Nt個の送信アンテナポートのすべてにマッピングされているとともにM個の空間的な送信層における第1の時間領域OFDM信号を重畳して送信するステップは、Nt個の送信アンテナポートのすべてにマッピングされているとともにM個の空間的な送信層における第1の時間領域OFDM信号及びN個の空間的な送信層における第2の時間領域OFDM信号を重畳して送信するステップを含む。
【００７０】
この出願のこの実施形態においては、第2の時間領域OFDM信号は、広帯域OFDM信号の他のサイドバンド信号であってもよい。例えば、第2の時間領域OFDM信号は、図7A及び図7Bの中の第2のサイドバンド信号であってもよい。第2の時間領域OFDM信号に関する具体的な動作については、第1の時間領域OFDM信号に関する上記の動作を参照するべきである。詳細については、図7A及び図7Bの中の第1のサブバンド信号に関する動作を参照するべきである。簡潔さのために、本明細書においては、詳細は繰り返しては説明されない。
【００７１】
本明細書におけるM及びNは、同じであってもよく、或いは、異なっていてもよいということに留意すべきである。このことは、この出願のこの実施形態においては制限されない。第1の時間領域OFDM信号の帯域幅と第2の時間領域OFDM信号の帯域幅は、等しくてもよく、或いは、等しくなくてもよい。
【００７２】
本明細書においては、第3のサンプリングレートについては、第1のサンプリングレートの上記の説明を参照するべきである。簡潔さのため、本明細書においては、詳細は繰り返しては説明されない。
【００７３】
本明細書においては、アップサンプリングは、フィルタリングされた信号がサンプリングされ、そのサンプリングされた信号のサンプリングレートが、フィルタリングされた信号のサンプリングレートよりも大きいということを意味する。アンテナポートに最終的にマッピングされる第2の時間領域OFDM信号の単一のサンプリングレートは、広帯域OFDM信号の単一のサンプリングレートと同じである。
【００７４】
本明細書においては、ディジタル周波数変換は、アップサンプリングの後に得られる信号にスペクトラム移動を実行して、広帯域信号に対応するスペクトラム位置へと信号を移動させるということを意味する。
【００７５】
選択的に、ディジタル周波数変換の後に得られるとともにN個の空間的な送信層の各々における第2の時間領域OFDM信号に空間プリコーディングを実行し、そして、N個の空間的な送信層の各々におけるフィルタリングされた第2の時間領域OFDM信号をNt個の送信アンテナポートにマッピングするステップは、第2のフィルタリング帯域幅において時間領域プリコーディングベクトルWjを使用することによって、N個の空間的な送信層のうちのj番目の空間的な送信層におけるフィルタリングされた第2の時間領域OFDM信号をNt個の送信アンテナポートに個別にマッピングするステップを含み、j＝1,2,…,Nであり、jは、N個の空間的な送信層のインデックスを表す。
【００７６】
具体的には、N個の空間的な送信層の各々におけるデータは、第2のフィルタリング帯域幅の全体を占有する。加えて、その第2のフィルタリング帯域幅において、同じ空間プリコーディングベクトルは、各々の空間的な送信層における第2の時間領域OFDM信号にプリコーディングを実行するのに使用される。
【００７７】
選択的に、当該方法は、Nt個の送信アンテナポートの各々に対応する第3の時間領域OFDM信号を第5のサンプリングレートでフィルタリングするステップをさらに含み、第5のサンプリングレートは、第1のサンプリングレート及び/又は第3のサンプリングレートよりも大きく、Nt個の送信アンテナポートのすべてにマッピングされているとともにM個の空間的な送信層における第1の時間領域OFDM信号を重畳して送信するステップは、Nt個の送信アンテナポートのすべてにマッピングされているとともにM個の空間的な送信層における第1の時間領域OFDM信号、N個の空間的な送信層における第2の時間領域OFDM信号、及びフィルタリングされた第3の時間領域OFDM信号を重畳して送信するステップを含む。
【００７８】
具体的には、広帯域OFDM信号は、第1の時間領域OFDM信号及び第2の時間領域OFDM信号を含んでもよく、第3の時間領域OFDM信号をさらに含んでもよい。第3の時間領域OFDM信号は、広帯域OFDM信号の中間サブバンド信号であってもよい。第3のサブバンド信号は、プリコーディングの後に得られるとともに送信アンテナポートにマッピングされている信号であってもよい。この場合に、第3の時間領域OFDM信号にフィルタリング処理を実行してもよい、すなわち、送信アンテナポートにおける第3の時間領域OFDM信号に対して、各々の送信アンテナポートにおいてフィルタリング処理を実行する。本明細書においては、そのフィルタリングの際に、低次の成形フィルタリングを使用してもよい。次に、第1の時間領域OFDM信号及び第2の時間領域OFDM信号を対応する送信アンテナポートにマッピングすることによって得られるデータと、アンテナポートにおいてフィルタリングされた第3の時間領域OFDM信号と、を重畳して送信する。
【００７９】
以下の記載では、図8A及び図8Bを参照して、OFDM信号が、20[MHz]のOFDM帯域幅信号であり、第1の時間領域OFDM信号が、900[KHz]のサイドバンドOFDM信号(又は、第1のサブバンド信号と称される)であり、第2の時間領域OFDM信号が、900[KHz]のサイドバンドOFDM信号(又は、第2のサブバンド信号と称される)であり、第3の時間領域OFDM信号が、18.2[MHz]の中間サブバンド信号(又は、第3のサブバンド信号と称される)であり、そして、N＝Mである1つの例を使用して、この出願のこの実施形態において提供される信号送信方法を詳細に説明する。
【００８０】
図8A及び図8Bに示されているように、第2のサブバンドについて、(例えば、ネットワークデバイス101等の)ネットワークデバイスの送信機は、最初に、第2のサブバンドの(図8A及び図8Bにおいて"層"と称される)各々の空間的な送信層におけるOFDM周波数領域信号に基づいて、その空間的な送信層に対応する時間領域OFDM信号を生成する。ネットワークデバイスの送信機は、M個の空間的な送信層の各々における時間領域OFDM信号に、1.92[Mbps]のサンプリングレートで、(例えば、高次のディジタル成形フィルタリング等の)フィルタリングを実行する。次に、N個の空間的な送信層の各々におけるフィルタリングされたOFDM信号に、30.72[Mbps]のサンプリングレートで、アップサンプリングを実行し、そして、そのサンプリングされた時間領域OFDM信号にディジタル周波数変換を実行する。最後に、プリコーディングベクトル
【数６】
2019528606.tif 000028
を使用することによって、ディジタル周波数変換の後に得られるとともにM個の空間的な送信層の各々におけるOFDM信号に空間プリコーディングを実行し、そして、ディジタル周波数変換の後に得られるとともにM個の空間的な送信層の各々におけるOFDM信号を各々の送信アンテナポートにマッピングする。第1のサブバンド信号については、図7A及び図7Bにおける第1のサブバンド信号に関する動作を参照するべきである。簡潔さのために、本明細書においては、詳細は繰り返しては説明されない。第3のサブバンド信号については、図7A及び図7Bにおける第3のサブバンド信号に関する動作を参照するべきである。簡潔さのために、本明細書においては、詳細は繰り返しては説明されない。最終的に、送信アンテナポートにおけるデータを重畳した後に、完全な広帯域信号が形成され、対応するRRUに出力され、そして、そのRRUは、対応する送信アンテナを使用することによって、各々の送信アンテナポートにおけるデータを送信する。
【００８１】
周波数領域信号からの時間領域信号の生成については、図5に示されている方法を参照するべきである。簡潔さのため、本明細書においては、詳細は繰り返しては説明されない。
【００８２】
第5のサンプリングレートは、第3のサブバンド信号の単一のサンプリングレートであってもよい。第3の周波数帯域信号の単一のサンプリングレートは、2n×(サブキャリアの帯域幅)であり、2nは、第3の周波数帯域信号に含まれるサブキャリアの数に最も近く、nは、1以上の整数である。例えば、第3の周波数帯域信号の帯域幅が18.2[MHz]であり、各々のサブキャリアの帯域幅が15[KHz]である場合に、第3の周波数帯域信号は、1213個のサブキャリアを含み、60に最も近い2nは、2048であり、第5のサンプリングレートは、2048×15＝30720[kbps]＝30.72[Mbps]となる。
【００８３】
本明細書における
【数７】
2019528606.tif 000029
は、プリコーディングベクトル
【数８】
2019528606.tif 000030
に、アップサンプリング及びディジタル周波数変換の動作を実行した後に得られるプリコーディングベクトルであるということを理解すべきである。
【００８４】
複数の異なるプリコーディングベクトルが複数の異なるサブバンドにおいて使用され、したがって、第1のサブバンド信号及び第2のサブバンド信号にプリコーディングを実行する際に、使用されるプリコーディングベクトルは異なっているということをさらに理解すべきである。
【００８５】
アンテナポートにおけるデータを重畳する場合には、それらの重畳される第1のサブバンド信号、第2のサブバンド信号、及び第3のサブバンド信号は、時間的に厳密に同期させられているということを保証する必要があるということに留意すべきである。
【００８６】
この出願のこの実施形態においては、第1のサブバンド信号及び第2のサブバンド信号に、フィルタリング、アップサンプリング、及びディジタル周波数変換の動作を実行し、次に、ディジタル周波数変換の後に得られる第1のサブバンド信号及び第2のサブバンド信号を各々の送信アンテナポートにマッピングし、それによって、第1のサブバンド信号及び第2のサブバンド信号の各々に対するフィルタリング動作の数は、送信アンテナポートの数ではなく、空間的な送信層の数に正比例する。空間的な送信層の数は、MIMOシステムにおける送信アンテナポートの数以下であるので、この出願のこの実施形態による信号送信方法によれば、信号送信の間のフィルタリングの複雑度を低減することが可能である。
【００８７】
この出願のこの実施形態にしたがった信号送信方法を説明する場合に、関連する"サブバンド"は、広帯域におけるサブバンドであり、本当の意味でのサブバンドではない。言い換えると、関連する広帯域は、MIMOシステムにおける実際のサブバンドであってもよく、或いは、当業者がよく知っているサブバンドであってもよい。この出願のこの実施形態においては、説明のための1つの例として、MIMOシステムにおけるサブバンドのみを使用している。MIMOシステムが、(例えば、20[MHz]の複数のサブバンド等の)複数のサブバンドを含む場合に、各々のサブバンドにおける時間領域OFDM信号に関する動作については、上記の説明における信号送信方法を参照すべきである。簡潔さのため、本明細書においては、詳細は繰り返しては説明されない。
【００８８】
上記では、図1乃至図8A及び図8Bを参照して、この出願の実施形態にしたがった信号送信方法を詳細に説明している。以下の記載は、図9及び図10を参照して、この出願の複数の実施形態にしたがった信号送信装置を説明する。
【００８９】
図9は、この出願のある1つの実施形態にしたがった信号送信装置900を示す。図9に示されているように、装置900は、フィルタリングユニット910、プリコーディングユニット920、及び送信ユニット930を含む。
【００９０】
フィルタリングユニット910は、M個の空間的な送信層の各々における第1の時間領域OFDM信号をフィルタリングするように構成され、Mは、1以上の整数である。
【００９１】
プリコーディングユニット920は、フィルタリングユニット910によってフィルタリングされているとともにM個の空間的な送信層の各々における第1の時間領域OFDM信号に空間プリコーディングを実行し、そして、M個の空間的な送信層の各々におけるフィルタリングされた第1の時間領域OFDM信号をNt個の送信アンテナポートの各々にマッピングする、ように構成され、Ntは、M以上の整数である。
【００９２】
送信ユニット930は、Nt個の送信アンテナポートのすべてにプリコーディングユニット920によってマッピングされているとともにM個の空間的な送信層における第1の時間領域OFDM信号を重畳して送信するように構成される。
【００９３】
上記のフィルタリングユニット及びプリコーディングユニットは、ソフトウェアを使用することによって実装されてもよく、構成することが可能であるプロセッサ等のハードウェアを使用することによって実装されてもよく、或いは、例えば、構成することが可能であるソフトウェアアルゴリズムを使用することによってプロセッサによって実装されてもよいといったように、構成することが可能であるソフトウェア及びハードウェアの組み合わせを使用することによって実装されてもよいということを理解すべきである。このことは、この出願のこの実施形態においては制限されない。
【００９４】
この出願のこの実施形態における信号送信装置によれば、M個の空間的な送信層の各々における(例えば、第1の時間領域OFDM信号等の)時間領域OFDM信号にフィルタリング動作を最初に実行し、次に、空間プリコーディングを実行し、そして、送信のために、その空間的な送信層におけるそのフィルタリングされた時間領域OFDM信号を各々の送信アンテナポートにマッピングする。この方法においては、フィルタリング動作の数は、送信アンテナポートの数ではなく空間的な送信層の数に正比例する。空間的な送信層の数は、MIMOシステムにおける送信アンテナポートの数以下であるので、この出願のこの実施形態による信号送信装置によれば、信号送信の間のフィルタリングの複雑度を低減することが可能である。
【００９５】
選択的に、フィルタリングユニット910は、特に、M個の空間的な送信層の各々における第1の時間領域OFDM信号を第1のサンプリングレートでフィルタリングするように構成される。
【００９６】
当該装置は、
M個の空間的な送信層の各々におけるフィルタリングされた第1の時間領域OFDM信号に第2のサンプリングレートでアップサンプリングを実行するように構成されるアップサンプリングユニット940であって、第2のサンプリングレートは、第1のサンプリングレートよりも大きい、アップサンプリングユニット940と、
アップサンプリングの後に得られるとともにM個の空間的な送信層の各々における第1の時間領域OFDM信号に第2のサンプリングレートでディジタル周波数変換を実行するように構成され、それによって、アップサンプリングの後に得られるとともにM個の空間的な送信層の各々における第1の時間領域OFDM信号の中心周波数は、第1の時間領域OFDM信号が属しているシステム広帯域に対応する周波数位置に位置する、ディジタル周波数変換ユニット950と、をさらに含む。
【００９７】
プリコーディングユニット920は、特に、
ディジタル周波数変換の後に得られるとともにM個の空間的な送信層の各々における第1の時間領域OFDM信号に空間プリコーディングを実行するように構成される。
【００９８】
選択的に、フィルタリングユニット910は、さらに、N個の空間的な送信層の各々における第2の時間領域OFDM信号を第3のサンプリングレートでフィルタリングするように構成され、Nは、1以上の整数である。
【００９９】
アップサンプリングユニット940は、さらに、N個の空間的な送信層の各々におけるフィルタリングされた第2の時間領域OFDM信号に第4のサンプリングレートでアップサンプリングを実行するように構成され、第4のサンプリングレートは、第3のサンプリングレートよりも大きい。
【０１００】
ディジタル周波数変換ユニット950は、さらに、アップサンプリングの後に得られるとともにN個の空間的な送信層の各々における第2の時間領域OFDM信号に第4のサンプリングレートでディジタル周波数変換を実行するように構成され、それによって、アップサンプリングの後に得られるとともにN個の空間的な送信層の各々における第2の時間領域OFDM信号の中心周波数は、第2の時間領域OFDM信号が属しているシステム広帯域に対応する周波数位置に位置する。
【０１０１】
プリコーディングユニット920は、特に、ディジタル周波数変換の後に得られるとともにN個の空間的な送信層の各々における第2の時間領域OFDM信号に空間プリコーディングを実行し、そして、N個の空間的な送信層の各々におけるフィルタリングされた第2の時間領域OFDM信号をNt個の送信アンテナポートにマッピングする、ように構成される。
【０１０２】
送信ユニット930は、特に、Nt個の送信アンテナポートのすべてにマッピングされているとともにM個の空間的な送信層における第1の時間領域OFDM信号及びN個の空間的な送信層における第2の時間領域OFDM信号を重畳して送信するように構成される。
【０１０３】
選択的に、フィルタリングユニット910は、さらに、Nt個の送信アンテナポートの各々に対応する第3の時間領域OFDM信号を第5のサンプリングレートでフィルタリングするように構成され、第5のサンプリングレートは、第1のサンプリングレート及び/又は第3のサンプリングレートよりも大きい。
【０１０４】
送信ユニット930は、特に、Nt個の送信アンテナポートのすべてにマッピングされているとともにM個の空間的な送信層における第1の時間領域OFDM信号、N個の空間的な送信層における第2の時間領域OFDM信号、及びフィルタリングされた第3の時間領域OFDM信号を重畳して送信するように構成される。
【０１０５】
選択的に、プリコーディングユニット920は、特に、第1のフィルタリング帯域幅において時間領域プリコーディングベクトルWiを使用することによって、M個の空間的な送信層のうちのi番目の空間的な送信層におけるフィルタリングされた第1の時間領域OFDM信号をNt個の送信アンテナポートに個別にマッピングするように構成され、i＝1,2,…,Mであり、iは、M個の空間的な送信層のインデックスを表す。
【０１０６】
選択的に、プリコーディングユニット920は、特に、第2のフィルタリング帯域幅において時間領域プリコーディングベクトルWjを使用することによって、N個の空間的な送信層のうちのj番目の空間的な送信層におけるフィルタリングされた第2の時間領域OFDM信号をNt個の送信アンテナポートに個別にマッピングするように構成され、j＝1,2,…,Nであり、jは、N個の空間的な送信層のインデックスを表す。
【０１０７】
この出願のこの実施形態にしたがった装置900は、この出願の複数の実施形態にしたがった信号送信方法に対応していてもよい。加えて、装置900の中のユニット及び/又はモジュールは、それぞれ、上記の信号送信方法の複数のステップを実装するように構成される。簡潔さのため、本明細書においては、詳細は説明されない。
【０１０８】
図10は、この出願の他の実施形態にしたがった信号送信装置1000を示している。図10に示されているように、その装置1000は、プロセッサ1010、トランシーバー1020、及びメモリ1030を含む。メモリ1030は、命令を格納するように構成されていてもよい。プロセッサ1010は、メモリ1030の中に格納されている命令を実行するように構成される。その格納されている命令が実行されると、以下のようになる。
【０１０９】
プロセッサ1010は、M個の空間的な送信層の各々における第1の時間領域OFDM信号をフィルタリングするように構成され、Mは、1以上の整数である。
【０１１０】
プロセッサ1010は、さらに、M個の空間的な送信層の各々におけるフィルタリングされた第1の時間領域OFDM信号に空間プリコーディングを実行し、そして、M個の空間的な送信層の各々におけるフィルタリングされた第1の時間領域OFDM信号をNt個の送信アンテナポートの各々にマッピングする、ように構成され、Ntは、M以上の整数である。
【０１１１】
トランシーバー1020は、Nt個の送信アンテナポートのすべてにマッピングされているとともにM個の空間的な送信層における第1の時間領域OFDM信号を重畳して送信するように構成される。
【０１１２】
この出願のこの実施形態においては、プロセッサ1010は、中央処理ユニット(central  processing  unit,  CPU)であってもよいということを理解すべきである。代替的に、プロセッサ1010は、他の汎用プロセッサ、信号プロセッサ(DSP)、特定用途向け集積回路(ASIC)、フィールドプログラマブルゲートアレイ(FPGA)、或いは、他のプログラム可能な論理デバイス、個別のゲート又はトランジスタ論理デバイス、或いは、個別のハードウェア構成要素等であってもよい。汎用プロセッサは、マイクロプロセッサであってもよく、或いは、プロセッサは、いずれかの従来のプロセッサ等であってもよい。
【０１１３】
メモリ1030は、読み取り専用メモリ及びランダムアクセスメモリを含んでもよく、プロセッサ1010に命令及びデータを提供してもよい。プロセッサ1010の一部分は、不揮発性ランダムアクセスメモリをさらに含んでもよい。例えば、プロセッサ1010は、さらに、デバイスタイプ情報を格納していてもよい。
【０１１４】
ある1つの実装プロセスにおいて、プロセッサ1010の中のハードウェアの論理集積回路を使用することによって、或いは、ソフトウェアの形態の命令を使用することによって、上記の方法の各々のステップを完了してもよい。この出願の複数の実施形態における信号送信方法の複数のステップは、ハードウェアプロセッサによって直接的に実行されてもよく、或いは、プロセッサの中のハードウェア及びソフトウェアモジュールの組み合わせを使用することによって実行されてもよい。ソフトウェアモジュールは、ランダムアクセスメモリ、フラッシュメモリ、読み出し専用メモリ、プログラム可能な読み出し専用メモリ、電気的に消去可能かつプログラム可能なメモリ、又はレジスタ等のこの技術分野においてよく知られている記憶媒体の中に位置していてもよい。記憶媒体は、メモリ1030の中に位置し、プロセッサ1010は、メモリ1030の中の情報を読み取り、プロセッサ1010のハードウェアと組み合わせて上記の方法のそれらの複数のステップを実装する。繰り返しを避けるために、本明細書においては、詳細は説明されない。
【０１１５】
この出願のこの実施形態における信号送信装置によれば、M個の空間的な送信層の各々における(例えば、第1の時間領域OFDM信号等の)時間領域OFDM信号にフィルタリング動作を最初に実行し、次に、空間プリコーディングを実行し、そして、送信のために、その空間的な送信層におけるそのフィルタリングされた時間領域OFDM信号を各々の送信アンテナポートにマッピングする。この方法においては、フィルタリング動作の数は、送信アンテナポートの数ではなく空間的な送信層の数に正比例する。空間的な送信層の数は、MIMOシステムにおける送信アンテナポートの数以下であるので、この出願のこの実施形態による信号送信装置によれば、信号送信の間のフィルタリングの複雑度を低減することが可能である。
【０１１６】
選択的に、プロセッサ1010は、特に、
M個の空間的な送信層の各々における第1の時間領域OFDM信号を第1のサンプリングレートでフィルタリングし、
M個の空間的な送信層の各々におけるフィルタリングされた第1の時間領域OFDM信号に第2のサンプリングレートでアップサンプリングを実行し、第2のサンプリングレートは、第1のサンプリングレートよりも大きく、
アップサンプリングの後に得られるとともにM個の空間的な送信層の各々における第1の時間領域OFDM信号に第2のサンプリングレートでディジタル周波数変換を実行し、それによって、アップサンプリングの後に得られるとともにM個の空間的な送信層の各々における第1の時間領域OFDM信号の中心周波数は、第1の時間領域OFDM信号が属しているシステム広帯域に対応する周波数位置に位置し、そして、
ディジタル周波数変換の後に得られるとともにM個の空間的な送信層の各々における第1の時間領域OFDM信号に空間プリコーディングを実行する、ように構成される。
【０１１７】
選択的に、プロセッサ1010は、さらに、N個の空間的な送信層の各々における第2の時間領域OFDM信号を第3のサンプリングレートでフィルタリングし、Nは、1以上の整数であり、
N個の空間的な送信層の各々におけるフィルタリングされた第2の時間領域OFDM信号に第4のサンプリングレートでアップサンプリングを実行し、第4のサンプリングレートは、第3のサンプリングレートよりも大きく、
アップサンプリングの後に得られるとともにN個の空間的な送信層の各々における第2の時間領域OFDM信号に第4のサンプリングレートでディジタル周波数変換を実行し、それによって、アップサンプリングの後に得られるとともにN個の空間的な送信層の各々における第2の時間領域OFDM信号の中心周波数は、第2の時間領域OFDM信号が属しているシステム広帯域に対応する周波数位置に位置し、そして、
ディジタル周波数変換の後に得られるとともにN個の空間的な送信層の各々における第2の時間領域OFDM信号に空間プリコーディングを実行し、そして、N個の空間的な送信層の各々におけるフィルタリングされた第2の時間領域OFDM信号をNt個の送信アンテナポートにマッピングする、ように構成される。
【０１１８】
トランシーバー1020は、特に、Nt個の送信アンテナポートのすべてにマッピングされているとともにM個の空間的な送信層における第1の時間領域OFDM信号及びN個の空間的な送信層における第2の時間領域OFDM信号を重畳して送信するように構成される。
【０１１９】
選択的に、プロセッサ1010は、さらに、Nt個の送信アンテナポートの各々に対応する第3の時間領域OFDM信号を第5のサンプリングレートでフィルタリングするように構成され、第5のサンプリングレートは、第1のサンプリングレート及び/又は第3のサンプリングレートよりも大きい。
【０１２０】
トランシーバー1020は、特に、Nt個の送信アンテナポートのすべてにマッピングされているとともにM個の空間的な送信層における第1の時間領域OFDM信号、N個の空間的な送信層における第2の時間領域OFDM信号、及びフィルタリングされた第3の時間領域OFDM信号を重畳して送信するように構成される。
【０１２１】
選択的に、プロセッサ1010は、特に、第1のフィルタリング帯域幅において時間領域プリコーディングベクトルWiを使用することによって、M個の空間的な送信層のうちのi番目の空間的な送信層におけるフィルタリングされた第1の時間領域OFDM信号をNt個の送信アンテナポートに個別にマッピングするように構成され、i＝1,2,…,Mであり、iは、M個の空間的な送信層のインデックスを表す。
【０１２２】
選択的に、プロセッサ1010は、特に、第2のフィルタリング帯域幅において時間領域プリコーディングベクトルWjを使用することによって、N個の空間的な送信層のうちのj番目の空間的な送信層におけるフィルタリングされた第2の時間領域OFDM信号をNt個の送信アンテナポートに個別にマッピングするように構成され、j＝1,2,…,Nであり、jは、N個の空間的な送信層のインデックスを表す。
【０１２３】
この出願のこの実施形態にしたがった装置1000は、この出願の複数の実施形態にしたがった信号送信方法に対応していてもよい。加えて、装置1000の中のユニット及び/又はモジュールは、それぞれ、図2又は上記の信号送信方法の複数のステップを実装するように構成される。簡潔さのため、本明細書においては、詳細は説明されない。
【０１２４】
本明細書の中の"及び/又は"との記載は、複数の関連する対象物を説明するためのある関連性関係を説明しているにすぎず、3つの関係が存在してもよいということを表すということを理解すべきである。例えば、A及び/又はBは、Aのみが存在する、A及びBの双方が存在する、及び、Bのみが存在する、という3つの状況を表していてもよい。加えて、本明細書の中の文字"/"は、通常は、それらの関連する対象物の間の"又は"の関係を示している。
【０１２５】
上記の複数のプロセスのシーケンス番号は、この出願のさまざまな実施形態の中での実行順序を意味するものではないということを理解するべきである。それらの複数のプロセスの実行順序は、それらの複数のプロセスの機能及び内部ロジックにしたがって決定されるべきものであり、この出願の複数の実施形態の複数の実装プロセスに対するいかなる限定としても解釈されるべきではない。
【０１２６】
当業者は、本明細書において開示されているそれらの複数の実施形態の中で説明されている複数の例と関連して、電子的なハードウェア、コンピュータソフトウェア、又はそれらの組み合わせによって、複数のユニット及び複数のアルゴリズムステップを実装してもよいということを理解することが可能である。ハードウェアとソフトウェアとの間の互換性をより明確に説明するために、上記の記載では、複数の機能にしたがって、各々の例の複数の構成及び複数のステップを一般的に説明してきた。それらの複数の機能をハードウェアによって実行するか又はソフトウェアによって実行するかは、複数の技術的解決方法の複数の特定の応用及び設計上の制約条件によって決まる。当業者は、複数の異なる方法を使用して、各々の特定の応用のためのそれらの説明された機能を実装することが可能であるが、その実装がこの出願の範囲を超えると解釈されるべきではない。
【０１２７】
利便性及び説明の簡潔さのために、上記のシステム、装置、及びユニットの詳細は動作プロセスについては、上記の方法の実施形態の中の対応するプロセスを参照するべきであるということを当業者は明確に理解することが可能であり、本明細書においては、詳細は繰り返しては説明されない。
【０１２８】
この出願によって提供される複数の実施形態においては、複数の他の方式によって、開示されたシステム、装置、及び方法を実装してもよいということを理解すべきである。例えば、開示されている装置の実施形態は、1つの例にすぎない。例えば、ユニットの分割は、論理的な機能の分割にすぎず、実際の実装においては、他の分割であってもよい。例えば、複数のユニット又は構成要素を組み合わせ又は一体化して、他のシステムとしてもよく、或いは、複数の特徴を無視し又は実行しなくてもよい。加えて、複数のインターフェイス、複数の装置又は複数のユニットの間の非直接的な結合又は通信接続、又は、電気的な接続、機械的な接続、或いは、他の形態での接続を使用して、示された又は説明された相互の結合又は直接的な接続又は通信接続を実装してもよい。
【０１２９】
複数の個別の部分として説明されている複数のユニットは、物理的に分離していてもよく又は物理的に分離していなくてもよく、複数のユニットとして示されている部分は、複数の物理的なユニットであってもよく又は複数の物理的なユニットでなくてもよく、1つの場所に位置していてもよく、又は、複数のネットワークユニットに分散していてもよい。実際の必要性にしたがって、それらのユニットのうちの一部又はすべてを選択して、この出願の複数の実施形態の複数の解決方法の目的を達成してもよい。
【０１３０】
加えて、この出願の複数の実施形態における複数の機能ユニットを一体化して、1つの処理ユニットとしてもよく、或いは、それらの複数のユニットの各々は、物理的に単独で存在していてもよく、或いは、2つ又はそれ以上のユニットを一体化して、1つのユニットとしてもよい。その一体化されたユニットは、ハードウェアの形態で実装されてもよく、又は、ソフトウェア機能ユニットの形態で実装されてもよい。
【０１３１】
一体化されたユニットがソフトウェア機能ユニットの形態で実装され、独立した製品として販売され又は使用される場合に、コンピュータ読み取り可能な記憶媒体の中にその一体化されたユニットを格納してもよい。そのような理解に基づいて、この出願の複数の技術的解決方法を、本質的に、或いは、先行技術に寄与する部分或いはそれらの技術的解決方法のすべて又は一部を、ソフトウェア製品の形態で実装してもよい。ソフトウェア製品は、記憶媒体に格納され、この出願の複数の実施形態において説明された複数の方法の複数のステップのうちのすべて又は一部を実行するように、(パーソナルコンピュータ、サーバ、又はネットワークデバイス等であってもよい)コンピュータデバイスに指示する複数の命令を含む。上記の記憶媒体は、プログラムコードを格納することが可能であるUSBフラッシュドライブ、取り外し可能なハードディスク、読み取り専用メモリ(read-only  memory,  ROM)、ランダムアクセスメモリ(random  access  memory,  RAM)、磁気ディスク、又は光ディスク等のいずれかの媒体を含む。
【０１３２】
上記の説明は、この出願の特定の実施形態であるにすぎず、この出願の保護の範囲を限定することを意図するものではない。この出願によって開示されている技術的範囲の中で当業者が容易に考え出すことが可能であるあらゆる変形又は置換は、この出願の保護の範囲に属するものとする。したがって、この出願の保護の範囲は、請求項に記載された発明の保護の範囲に従うものとする。
【国際調査報告】
2019528606.tif 000031
2019528606.tif 000032
2019528606.tif 000033
2019528606.tif 000034